(57)【特許請求の範囲】
【請求項１】
電力線に接続され、当該電力線を介して情報の通信を行う第一情報処理装置と第二情報処理装置とを備えた電力線通信システムであって、
前記第一情報処理装置は、
自装置が処理可能な情報である処理対象情報を受信可能な周波数を示す情報である第一周波数情報と、自装置が処理可能な処理対象情報の属性を示す情報である第一属性情報とを、予め指定された所定の周波数で、前記電力線を介して前記第二情報処理装置に送信する第一制御情報送信部と、
前記電力線を介して前記第二情報処理装置から送信される処理対象情報を前記第一周波数情報が示す周波数で受信する第一受信部と、
前記第一受信部が受信した前記処理対象情報を処理する第一処理部とを備え、
前記第二情報処理装置は、
前記第一情報処理装置から前記所定の周波数で送信される第一周波数情報と第一属性情報とを受信する第二制御情報受信部と、
前記第一属性情報が示す属性を有する処理対象情報を取得する第二取得部と、
前記第二取得部が取得した処理対象情報を、前記電力線を介して前記第一周波数情報に対応した周波数で前記第一情報処理装置に送信する第二送信部とを備えた電力線通信システム。
【請求項２】
前記第二情報処理装置は、当該第二情報処理装置が送信可能な情報の属性のうちの、前記第二制御情報受信部が受信した第一属性情報が示す属性に対応する属性を、取得の対象となる処理対象情報の属性に決定する第二属性決定部をさらに備え、
前記第二取得部は、前記第二属性決定部が決定した属性に応じた処理対象情報を取得する請求項１記載の電力線通信システム。
【請求項３】
前記第二情報処理装置は、当該第二情報処理装置が情報を送信可能な周波数のうちの、前記第二制御情報受信部が受信した第一周波数情報が示す周波数と一致する周波数を、処理対象情報を送信する周波数に決定する第二周波数決定部をさらに備え、
前記第二送信部は、前記第二周波数決定部が決定した周波数で前記処理対象情報を送信する請求項１または請求項２記載の電力線通信システム。
【請求項４】
電力線に接続され、当該電力線を介して情報の通信を行う第一情報処理装置と第二情報処理装置とを備えた電力線通信システムであって、
前記第一情報処理装置は、
前記電力線を介して前記第二情報処理装置が送信する情報である送信対象情報が送信される周波数を示す情報である第二周波数情報と、前記第二情報処理装置が送信可能な送信対象情報の属性値を示す情報である第二属性情報とを、予め指定された所定の周波数で前記第二情報処理装置から受信する第一制御情報受信部と、
前記電力線を介して前記第二情報処理装置から、前記第二周波数情報が示す周波数で送信される前記第二属性情報が示す属性の送信対象情報を受信する第一受信部と、
前記第一受信部が受信した前記送信対象情報を処理する第一処理部とを備え、
前記第二情報処理装置は、
自装置が前記送信対象情報を送信する周波数を示す情報である第二周波数情報と、自装置が送信する送信対象情報についての属性を示す情報である第二属性情報とを、前記所定の周波数で、前記電力線を介して前記第一情報処理装置に送信する第二制御情報送信部と、
前記送信対象情報を取得する第二取得部と、
前記第二取得部が取得した送信対象情報を、前記電力線を介して前記第二周波数情報に対応した周波数で前記第一情報処理装置に送信する第二送信部とを備えた電力線通信システム。
【請求項５】
前記第一情報処理装置は、当該第一情報処理装置が受信可能な情報の属性のうちの、前記第一制御情報受信部が受信した第二属性情報が示す属性に対応する属性を、受信の対象となる送信対象情報の属性に決定する第一属性決定部をさらに備え、
前記第一受信部は、前記第一属性決定部が決定した属性に応じた送信対象情報を受信する請求項４記載の電力線通信システム。
【請求項６】
前記第一情報処理装置は、当該第一情報処理装置が情報を受信可能な周波数のうちの、前記第一制御情報受信部が受信した第二周波数情報が示す周波数と一致する周波数を、送信対象情報を受信する周波数に決定する第一周波数決定部をさらに備え、
前記第一受信部は、前記第一周波数決定部が決定した周波数で送信される前記送信対象情報を受信する請求項４または請求項５記載の電力線通信システム。
【請求項７】
電力線に接続され、当該電力線を介して情報の通信を行う第一情報処理装置と第二情報処理装置とサーバを備えた電力線通信システムであって、
前記第一情報処理装置は、
自装置が処理可能な情報である処理対象情報を受信可能な周波数を示す情報である第一周波数情報を、予め指定された所定の周波数で、前記電力線を介して前記サーバに送信する第一制御情報送信部と、
前記電力線を介して前記第二情報処理装置から送信される処理対象情報を前記第一周波数情報が示す周波数で受信する第一受信部と、
前記第一受信部が受信した前記処理対象情報を処理する第一処理部とを備え、
前記第二情報処理装置は、
自装置が送信可能な情報である送信対象情報を送信可能な周波数を示す情報である第二周波数情報を、前記所定の周波数で、前記電力線を介して前記サーバに送信する第二制御情報送信部と、
前記サーバから送信される送信指示を受信する第二送信指示受信部と、
前記送信対象情報を取得する第二取得部と、
前記第二取得部が取得した処理対象情報である処理対象情報を、前記電力線を介して前記第二送信指示受信部が受信した送信指示に応じた周波数で前記第一情報処理装置に送信する第二送信部とを備え、
前記サーバは、
第一情報処理装置が送信する第一周波数情報を受信する第一サーバ制御情報受信部と、
前記第二情報処理装置が送信する第二周波数情報を受信する第二サーバ制御情報受信部と、
前記第一サーバ制御情報受信部が受信した第一周波数情報と前記第二サーバ制御情報受信部が受信した第二周波数情報とに応じて、当該第二周波数情報が示す前記第二情報処理装置が送信対象情報を送信可能な周波数のうちの、第一周波数情報が示す周波数と一致する周波数を、処理対象情報を送信する周波数に決定する周波数決定部と、
前記処理対象情報を、前記周波数決定部が決定した周波数で、第一情報処理装置に送信する指示である前記送信指示を、前記所定の周波数で、前記第二情報処理装置に送信する送信指示送信部とを備えた電力線通信システム。
【請求項８】
電力線に接続され、当該電力線を介して情報の通信を行う第一情報処理装置と第二情報処理装置とサーバを備えた電力線通信システムであって、
前記第一情報処理装置は、
自装置が処理可能な情報である処理対象情報を受信可能な周波数を示す情報である第一周波数情報を、予め指定された所定の周波数で、前記電力線を介して前記サーバに送信する第一制御情報送信部と、
前記サーバから送信される、当該サーバが決定した周波数で、前記第二情報処理装置が送信する送信対象情報を受信する指示である受信指示を受信する第一受信指示受信部と、
前記電力線を介して前記第二情報処理装置が送信する送信対象情報を、前記受信指示に応じた周波数で受信する第一受信部と、
前記第一受信部が受信した前記処理対象情報を処理する第一処理部とを備え、
前記第二情報処理装置は、
自装置が送信する情報である送信対象情報を送信する周波数を示す情報である第二周波数情報を、前記所定の周波数で、前記電力線を介して前記サーバに送信する第二制御情報送信部と、
前記送信対象情報を取得する第二取得部と、
前記第二取得部が取得した送信対象情報を、前記第二周波数情報に対応した周波数で、前記電力線を介して前記第一情報処理装置に送信する第二送信部とを備え、
前記サーバは、
前記第一情報処理装置が送信する第一周波数情報を受信する第一サーバ制御情報受信部と、
前記第二情報処理装置が送信する第二周波数情報を受信する第二サーバ制御情報受信部と、
前記第一サーバ制御情報受信部が受信した第一周波数情報と前記第二サーバ制御情報受信部が受信した第二周波数情報とに応じて、当該第二周波数情報が示す前記第二情報処理装置が送信対象情報を送信可能な周波数のうちの、第一周波数情報が示す周波数と一致する周波数を、処理対象情報を受信する周波数に決定する周波数決定部と、
前記第二情報処理装置が送信する送信対象情報を、前記周波数決定部が決定した周波数で受信する指示である前記受信指示を、前記所定の周波数で、前記第一情報処理装置に送信する受信指示送信部とを備えた電力線通信システム。
【請求項９】
請求項１から請求項８いずれか記載の電力線通信システムを構成する第一情報処理装置。
【請求項１０】
請求項１から請求項８いずれか記載の電力線通信システムを構成する第二情報処理装置。
【請求項１１】
請求項７または請求項８記載の電力線通信システムを構成するサーバ。
【請求項１２】
処理可能な情報である処理対象情報を受信可能な周波数を示す情報である第一周波数情報と、処理可能な処理対象情報の属性を示す情報である第一属性情報とを、予め指定された所定の周波数で、電力線を介して情報の通信を行う第二情報処理装置に、電力線を介して送信する第一制御情報送信ステップと、
前記電力線を介して第二情報処理装置から送信される処理対象情報を前記第一周波数情報が示す周波数で受信する第一受信ステップと、
前記第一受信ステップで受信した前記処理対象情報を処理する第一処理ステップとを備えた情報処理方法。
【請求項１３】
電力線を介して情報の通信を行う第一情報処理装置から、前記電力線を介して所定の周波数で送信される、前記第一情報処理装置が処理可能な情報である処理対象情報を受信可能な周波数を示す情報である第一周波数情報と第一属性情報とを、を受信する第二制御情報受信ステップと、
前記第一属性情報が示す属性を有する処理対象情報を取得する第二取得ステップと、
前記取得ステップで取得した処理対象情報を、前記電力線を介して前記第一周波数情報に対応した周波数で前記第一情報処理装置に送信する第二送信ステップとを備えた情報処理方法。
【請求項１４】
第二情報処理装置が電力線を介して送信する情報である送信対象情報を送信可能な周波数を示す情報である第二周波数情報と、前記第二情報処理装置が送信可能な送信対象情報の属性値を示す情報である第二属性情報とを、前記電力線を介して予め指定された所定の周波数で前記第二情報処理装置から受信する第一制御情報受信ステップと、
前記電力線を介して前記第二情報処理装置から、前記第二周波数情報が示す周波数で送信される前記第二属性情報が示す属性の送信対象情報を受信する第一受信ステップと、
前記第一受信ステップで受信した前記送信対象情報を処理する第一処理ステップとを備えた情報処理方法。
【請求項１５】
送信する情報である送信対象情報を送信する周波数を示す情報である第二周波数情報と、自装置が送信する送信対象情報についての属性を示す情報第二属性情報とを、前記所定の周波数で、電力線を介して情報の通信を行う第一情報処理装置に、電力線を介して送信する第二制御情報送信ステップと、
前記送信対象情報を取得する第二取得ステップと、
前記第二取得ステップが取得した送信対象情報を、前記電力線を介して前記第二周波数情報に対応した周波数で前記第一情報処理装置に送信する第二送信ステップとを備えた情報処理方法。
【請求項１６】
送信可能な情報である送信対象情報を送信可能な周波数を示す情報である第二周波数情報を、前記所定の周波数で、電力線を介して情報の通信を行うサーバに、前記電力線を介して送信する第二制御情報送信ステップと、
前記第二周波数情報が示す周波数のうちの、前記電力線を介して情報の通信を行う第一情報処理装置が自装置で処理可能な情報である処理対象情報を受信可能な周波数と一致する周波数で処理対象情報を送信する指示である送信指示を前記サーバから受信する第二送信指示受信ステップと、
前記送信対象情報を取得する第二取得ステップと、
前記第二取得ステップで取得した送信対象情報である処理対象情報を、前記電力線を介して前記第二送信指示受信ステップで受信した送信指示に応じた周波数で、電力線を介して情報の通信を行う第一情報処理装置に、前記電力線を介して送信する第二送信ステップとを備えた情報処理方法。
【請求項１７】
電力線を介して情報の通信を行う第一情報処理装置が、前記電力線を介して送信する、前記第一情報処理装置が処理可能な処理対象情報を受信可能な周波数を示す情報である第一周波数情報を、受信する第一サーバ制御情報受信ステップと、
電力線を介して情報の通信を行う第二情報処理装置が、前記電力線を介して送信する情報である送信対象情報を送信する周波数を示す情報である第二周波数情報を、受信する第二サーバ制御情報受信ステップと、
前記第一サーバ制御情報受信ステップで受信した第一周波数情報と前記第二サーバ制御情報受信ステップで受信した第二周波数情報とに応じて、当該第二周波数情報が示す前記第二情報処理装置が送信対象情報を送信可能な周波数のうちの、第一周波数情報が示す周波数と一致する周波数を、処理対象情報を送信する周波数に決定する周波数決定ステップと、
前記処理対象情報を、前記周波数決定ステップで決定した周波数で、第一情報処理装置に送信する指示である前記送信指示を、前記所定の周波数で、前記第二情報処理装置に送信する送信指示送信ステップとを備えた情報処理方法。
【請求項１８】
処理可能な情報である処理対象情報を受信可能な周波数を示す情報である第一周波数情報を、予め指定された所定の周波数で、電力線を介して情報の通信を行うサーバに、前記電力線を介して送信する第一制御情報送信ステップと、
前記第一周波数情報が示す周波数のうちの、電力線を介して情報の送信を行う第二情報処理装置が情報を送信可能な周波数と一致する周波数で、情報を受信する指示である受信指示を前記サーバから受信する第一受信指示受信ステップと、
前記第二情報処理装置が、前記電力線を介して送信する情報である送信対象情報を、前記受信指示に応じた周波数で受信する第一受信ステップと、
前記第一受信ステップで受信した前記送信対象情報を処理する第一処理ステップとを備えた情報処理方法。
【請求項１９】
電力線を介して情報の通信を行う第一情報処理装置が、前記電力線を介して送信する、前記第一情報処理装置が処理可能な処理対象情報を送信可能な周波数を示す情報である第一周波数情報を、受信する第一サーバ制御情報受信ステップと、
電力線を介して情報の通信を行う第二情報処理装置が、前記電力線を介して送信する情報である送信対象情報を送信する周波数を示す情報である第二周波数情報を、受信する第二サーバ制御情報受信ステップと、
前記第一サーバ制御情報受信ステップで受信した第一周波数情報と前記第二サーバ制御情報受信ステップで受信した第二周波数情報とに応じて、当該第二周波数情報が示す前記第二情報処理装置が送信対象情報を送信可能な周波数のうちの、第一周波数情報が示す周波数と一致する周波数を、処理対象情報を受信する周波数に決定する周波数決定ステップと、
前記第二情報処理装置が送信する送信対象情報を、前記周波数決定ステップで決定した周波数で受信する指示である前記受信指示を、前記所定の周波数で、前記第一情報処理装置に送信する受信指示送信ステップとを備えた情報処理方法。
【請求項２０】
コンピュータに、
処理可能な情報である処理対象情報を受信可能な周波数を示す情報である第一周波数情報と、処理可能な処理対象情報の属性を示す情報である第一属性情報とを、予め指定された所定の周波数で、電力線を介して情報の通信を行う第二情報処理装置に、電力線を介して送信する第一制御情報送信ステップと、
前記電力線を介して第二情報処理装置から送信される処理対象情報を前記第一周波数情報が示す周波数で受信する第一受信ステップと、
前記第一受信ステップで受信した前記処理対象情報を処理する第一処理ステップとを実行させるためのプログラム。
【請求項２１】
コンピュータに、
電力線を介して情報の通信を行う第一情報処理装置から、前記電力線を介して所定の周波数で送信される、前記第一情報処理装置が処理可能な情報である処理対象情報を受信可能な周波数を示す情報である第一周波数情報と第一属性情報とを、を受信する第二制御情報受信ステップと、
前記第一属性情報が示す属性を有する処理対象情報を取得する第二取得ステップと、
前記取得ステップで取得した処理対象情報を、前記電力線を介して前記第一周波数情報に対応した周波数で前記第一情報処理装置に送信する第二送信ステップとを実行させるためのプログラム。
【請求項２２】
コンピュータに、
第二情報処理装置が電力線を介して送信する情報である送信対象情報を送信可能な周波数を示す情報である第二周波数情報と、前記第二情報処理装置が送信可能な送信対象情報の属性値を示す情報である第二属性情報とを、前記電力線を介して予め指定された所定の周波数で前記第二情報処理装置から受信する第一制御情報受信ステップと、
前記電力線を介して前記第二情報処理装置から、前記第二周波数情報が示す周波数で送信される前記第二属性情報が示す属性の送信対象情報を受信する第一受信ステップと、
前記第一受信ステップで受信した前記送信対象情報を処理する第一処理ステップとを実行させるためのプログラム。
【請求項２３】
コンピュータに、
送信する情報である送信対象情報を送信する周波数を示す情報である第二周波数情報と、自装置が送信する送信対象情報についての属性を示す情報第二属性情報とを、前記所定の周波数で、電力線を介して情報の通信を行う第一情報処理装置に、電力線を介して送信する第二制御情報送信ステップと、
前記送信対象情報を取得する第二取得ステップと、
前記第二取得ステップが取得した送信対象情報を、前記電力線を介して前記第二周波数情報に対応した周波数で前記第一情報処理装置に送信する第二送信ステップとを実行させるためのプログラム。
【請求項２４】
コンピュータに、
送信可能な情報である送信対象情報を送信可能な周波数を示す情報である第二周波数情報を、前記所定の周波数で、電力線を介して情報の通信を行うサーバに、前記電力線を介して送信する第二制御情報送信ステップと、
前記第二周波数情報が示す周波数のうちの、前記電力線を介して情報の通信を行う第一情報処理装置が自装置で処理可能な情報である処理対象情報を受信可能な周波数と一致する周波数で処理対象情報を送信する指示である送信指示を前記サーバから受信する第二送信指示受信ステップと、
前記送信対象情報を取得する第二取得ステップと、
前記第二取得ステップで取得した送信対象情報である処理対象情報を、前記電力線を介して前記第二送信指示受信ステップで受信した送信指示に応じた周波数で、電力線を介して情報の通信を行う第一情報処理装置に、前記電力線を介して送信する第二送信ステップとを実行させるためのプログラム。
【請求項２５】
コンピュータに、
電力線を介して情報の通信を行う第一情報処理装置が、前記電力線を介して送信する、前記第一情報処理装置が処理可能な処理対象情報を受信可能な周波数を示す情報である第一周波数情報を、受信する第一サーバ制御情報受信ステップと、
電力線を介して情報の通信を行う第二情報処理装置が、前記電力線を介して送信する情報である送信対象情報を送信する周波数を示す情報である第二周波数情報を、受信する第二サーバ制御情報受信ステップと、
前記第一サーバ制御情報受信ステップで受信した第一周波数情報と前記第二サーバ制御情報受信ステップで受信した第二周波数情報とに応じて、当該第二周波数情報が示す前記第二情報処理装置が送信対象情報を送信可能な周波数のうちの、第一周波数情報が示す周波数と一致する周波数を、処理対象情報を送信する周波数に決定する周波数決定ステップと、
前記処理対象情報を、前記周波数決定ステップで決定した周波数で、第一情報処理装置に送信する指示である前記送信指示を、前記所定の周波数で、前記第二情報処理装置に送信する送信指示送信ステップとを実行させるためのプログラム。
【請求項２６】
コンピュータに、
処理可能な情報である処理対象情報を受信可能な周波数を示す情報である第一周波数情報を、予め指定された所定の周波数で、電力線を介して情報の通信を行うサーバに、前記電力線を介して送信する第一制御情報送信ステップと、
前記第一周波数情報が示す周波数のうちの、電力線を介して情報の送信を行う第二情報処理装置が情報を送信可能な周波数と一致する周波数で、情報を受信する指示である受信指示を前記サーバから受信する第一受信指示受信ステップと、
前記第二情報処理装置が、前記電力線を介して送信する情報である送信対象情報を、前記受信指示に応じた周波数で受信する第一受信ステップと、
前記第一受信ステップで受信した前記送信対象情報を処理する第一処理ステップとを実行させるためのプログラム。
【請求項２７】
コンピュータに、
電力線を介して情報の通信を行う第一情報処理装置が、前記電力線を介して送信する、前記第一情報処理装置が処理可能な処理対象情報を送信可能な周波数を示す情報である第一周波数情報を、受信する第一サーバ制御情報受信ステップと、
電力線を介して情報の通信を行う第二情報処理装置が、前記電力線を介して送信する情報である送信対象情報を送信する周波数を示す情報である第二周波数情報を、受信する第二サーバ制御情報受信ステップと、
前記第一サーバ制御情報受信ステップで受信した第一周波数情報と前記第二サーバ制御情報受信ステップで受信した第二周波数情報とに応じて、当該第二周波数情報が示す前記第二情報処理装置が送信対象情報を送信可能な周波数のうちの、第一周波数情報が示す周波数と一致する周波数を、処理対象情報を受信する周波数に決定する周波数決定ステップと、
前記第二情報処理装置が送信する送信対象情報を、前記周波数決定ステップで決定した周波数で受信する指示である前記受信指示を、前記所定の周波数で、前記第一情報処理装置に送信する受信指示送信ステップとを実行させるためのプログラム。
【発明の詳細な説明】
【技術分野】
【０００１】
本発明は、２以上の情報処理装置間において電力線通信を行うシステム等に関するものである。
【背景技術】
【０００２】
従来の電力線通信（ｐｏｗｅｒ−ｌｉｎｅ  ｃｏｍｍｕｎｉｃａｔｉｏｎ：ＰＬＣ）システムとして、電力線通信ネットワークに接続されたコンテンツサーバと、インタフェースモジュールを有し、超広帯域接続されたリモート電子機器との間でコンテンツストリーム（すなわち、音声、ビデオ、データ）を通信するシステムを提供するものがあった（例えば、特許文献１参照）。
【特許文献１】特表２００７−５０４７１１号公報（第１頁、第１図等）
【発明の開示】
【発明が解決しようとする課題】
【０００３】
しかしながら、従来の電力線通信システムにおいては、電力線通信ネットワークに接続され２以上の機器同士が、通信を行う場合、通信に用いられる情報の属性や通信を行う周波数等が予め指定されていない場合、機器間で正常にデータを通信することができなかった。例えば、情報を送信する装置が、所定の周波数で、所定のファイル形式の情報を送信しても、受信側の装置では、この送信周波数がわからなければ、送信された情報を受信することができず、また、仮に受信できたとしても、受信側の装置が処理できないファイル形式の情報であった場合、この情報を処理して処理することができないという課題があった。
【課題を解決するための手段】
【０００４】
本発明にかかる電力線通信システムは、電力線に接続され、当該電力線を介して情報の通信を行う第一情報処理装置と第二情報処理装置とを備えた電力線通信システムであって、前記第一情報処理装置は、自装置が処理可能な情報である処理対象情報を受信可能な周波数を示す情報である第一周波数情報を、予め指定された所定の周波数で、前記電力線を介して前記第二情報処理装置に送信する第一制御情報送信部と、前記電力線を介して前記第二情報処理装置から送信される処理対象情報を前記第一周波数情報が示す周波数で受信する第一受信部と、前記第一受信部が受信した前記処理対象情報を処理する第一処理部とを備え、前記第二情報処理装置は、前記第一情報処理装置から前記所定の周波数で送信される第一周波数情報を受信する第二制御情報受信部と、前記処理対象情報を取得する第二取得部と、前記取得部が取得した処理対象情報を、前記電力線を介して前記第一周波数情報に対応した周波数で前記第一情報処理装置に送信する第二送信部とを備えた電力線通信システムである。
【０００５】
かかる構成により、処理対象情報を、電力線を介して第一周波数情報に対応した周波数で第一情報処理装置に送信することができ、通信を行う周波数等が予め設定されていない場合においても、情報の送受信および処理を行うことができる。
【０００６】
また、前記電力線通信システムにおいて、前記第一制御情報送信部は、前記自装置が処理可能な処理対象情報についての属性を示す情報である第一属性情報を、前記予め指定された所定の周波数で、前記電力線を介して前記第二情報処理装置に送信し、前記第二制御情報受信部は、前記第一情報処理装置から前記所定の周波数で送信される前記第一属性情報を受信し、前記第二取得部は、前記第一属性情報に対応した処理対象情報を取得する請求項１記載の電力線通信システムである。
【０００７】
かかる構成により、第一属性情報に対応した処理対象情報を、電力線を介して第一情報処理装置に送信することができ、通信に用いられる情報の属性や通信を行う周波数等が予め設定されていない場合においても、情報の送受信および処理を行うことができる。
【０００８】
また、前記電力線通信システムにおいて、前記第二情報処理装置は、前記第二制御情報受信部が受信した第一属性情報に応じて取得の対象となる処理対象情報の属性を決定する第二属性決定部をさらに備え、前記第二取得部は、前記第二属性決定部が決定した属性に応じた処理対象情報を取得する電力線通信システムである。
【０００９】
かかる構成により、送信対象となる処理対象情報を、第二属性決定部が決定した属性を用いて選択的に取得することが可能となり、第一情報処理装置において処理できない情報の送信を防ぐことができる。また、第二情報処理装置側で、第一情報処理装置において処理することが適切と考えられる処理対象情報を選択的に送信することができる。
【００１０】
また、前記電力線通信システムにおいて、前記第二情報処理装置は、前記第二制御情報受信部が受信した第一周波数情報に応じて処理対象情報を送信する周波数を決定する第二周波数決定部をさらに備え、前記第二送信部は、前記第二周波数決定部が決定した周波数で前記処理対象情報を送信する電力線通信システムである。
【００１１】
かかる構成により、第一情報処理装置が受信可能な複数の周波数から、通信に利用する周波数を決定することが可能となり、第一情報処理装置において通信に利用する周波数を決定するためにスキャンしたりする処理を簡略化することができる。
【００１２】
また、本発明にかかる電力線通信システムは、電力線に接続され、当該電力線を介して情報の通信を行う第一情報処理装置と第二情報処理装置とを備えた電力線通信システムであって、前記第一情報処理装置は、前記電力線を介して前記第二情報処理装置が送信する情報である送信対象情報が送信される周波数を示す情報である第二周波数情報を、予め指定された所定の周波数で前記第二情報処理装置から受信する第一制御情報受信部と、前記電力線を介して前記第二情報処理装置から送信される送信対象情報を受信する第一受信部と、前記第一受信部が受信した前記送信対象情報を処理する第一処理部とを備え、前記第二情報処理装置は、自装置が前記送信対象情報を送信する周波数を示す情報である第二周波数情報を、前記所定の周波数で、前記電力線を介して前記第一情報処理装置に送信する第二制御情報送信部と、前記送信対象情報を取得する第二取得部と、前記第二取得部が取得した送信対象情報を、前記電力線を介して前記第二周波数情報に対応した周波数で前記第一情報処理装置に送信する第二送信部とを備えた電力線通信システムである。
【００１３】
かかる構成により、第一情報処理装置が、第二周波数情報に応じて、送信対象情報を、第一周波数情報に対応した周波数で受信するようにしたので、通信を行う周波数等が予め設定されていない場合においても、情報の送受信および処理を行うことができる。
【００１４】
また、前記電力線通信システムにおいて、前記第一制御情報受信部は、前記第二情報処理装置が送信する送信対象情報についての属性を示す情報である第二属性情報を、前記予め指定された所定の周波数で前記第二情報処理装置から受信し、前記第二制御情報送信部は、前記第二情報処理装置が送信する送信対象情報についての属性を示す情報である第二属性情報を、前記所定の周波数で、前記電力線を介して前記第一情報処理装置に送信する電力線通信システムである。
【００１５】
かかる構成により、第一情報処理装置が、第二属性情報に応じて、第一属性情報に対応した送信対象情報を受信するようにしたので、通信に用いられる情報の属性等が予め設定されていない場合においても、情報の送受信および処理を行うことができる。
【００１６】
また、前記電力線通信システムにおいて、前記第一情報処理装置は、前記第一制御情報受信部が受信した第二属性情報に応じて受信の対象となる送信対象情報の属性を決定する第一属性決定部をさらに備え、前記第一受信部は、前記第一属性決定部が決定した属性に応じた送信対象情報を受信する電力線通信システムである。
【００１７】
かかる構成により、第二情報処理装置が送信する送信対象情報から、受信する送信対象情報を、第二属性決定部が決定した属性を用いて決定することができ、第一情報処理装置において処理できない情報の送信を防ぐことができる。
【００１８】
また、前記電力線通信システムにおいて、前記第一情報処理装置は、前記第一制御情報受信部が受信した第二周波数情報に応じて、送信対象情報を受信する周波数を決定する第一周波数決定部をさらに備え、前記第一受信部は、前記第一周波数決定部が決定した周波数で送信される前記送信対象情報を受信する電力線通信システムである。
【００１９】
かかる構成により、第二情報処理装置が送信対象情報を送信する複数の周波数から、受信に利用する周波数を決定することが可能となり、第一情報処理装置において通信に利用する周波数を決定するためにスキャンしたりする処理を簡略化することができる。
【００２０】
また、電力線に接続され、当該電力線を介して情報の通信を行う第一情報処理装置と第二情報処理装置とサーバを備えた電力線通信システムであって、前記第一情報処理装置は、自装置が処理可能な情報である処理対象情報を受信可能な周波数を示す情報である第一周波数情報を、予め指定された所定の周波数で、前記電力線を介して前記サーバに送信する第一制御情報送信部と、前記電力線を介して前記第二情報処理装置から前記第一周波数情報が示す周波数で送信される処理対象情報を受信する第一受信部と、前記第一受信部が受信した前記処理対象情報を処理する第一処理部とを備え、前記第二情報処理装置は、自装置が送信可能な情報である送信対象情報を送信可能な周波数を示す情報である第二周波数情報を、前記所定の周波数で、前記電力線を介して前記サーバに送信する第二制御情報送信部と、前記サーバから送信される送信指示を受信する第二送信指示受信部と、前記送信対象情報を取得する第二取得部と、前記第二取得部が取得した処理対象情報である処理対象情報を、前記電力線を介して前記第二送信指示受信部が受信した送信指示に応じた周波数で前記第一情報処理装置に送信する第二送信部とを備え、前記サーバは、第一情報処理装置が送信する第一周波数情報を受信する第一サーバ制御情報受信部と、前記第二情報処理装置が送信する第二周波数情報を受信する第二サーバ制御情報受信部と、前記第一サーバ制御情報受信部が受信した第一周波数情報と前記第二サーバ制御情報受信部が受信した第二周波数情報とに応じて処理対象情報を送信する周波数を決定する周波数決定部と、前記処理対象情報を、前記周波数決定部が決定した周波数で、第一情報処理装置に送信する指示である前記送信指示を、前記所定の周波数で、前記第二情報処理装置に送信する送信指示送信部とを備えた電力線通信システムである。
【００２１】
かかる構成により、処理対象情報を送信する周波数を決定する処理を、サーバで集中的に処理することにより、第二情報処理装置の構成を簡略化することができる。
【００２２】
また、本発明の電力線通信システムは、電力線に接続され、当該電力線を介して情報の通信を行う第一情報処理装置と第二情報処理装置とサーバを備えた電力線通信システムであって、前記第一情報処理装置は、自装置が処理可能な情報である処理対象情報を受信可能な周波数を示す情報である第一周波数情報を、予め指定された所定の周波数で、前記電力線を介して前記サーバに送信する第一制御情報送信部と、前記サーバから送信される、当該サーバが決定した周波数で、前記第二情報処理装置が送信する送信対象情報を受信する指示である受信指示を受信する第一受信指示受信部と、前記電力線を介して前記第二情報処理装置が送信する送信対象情報を、前記受信指示に応じた周波数で受信する第一受信部と、前記第一受信部が受信した前記処理対象情報を処理する第一処理部とを備え、前記第二情報処理装置は、自装置が送信する情報である送信対象情報を送信する周波数を示す情報である第二周波数情報を、前記所定の周波数で、前記電力線を介して前記サーバに送信する第二制御情報送信部と、前記送信対象情報を取得する第二取得部と、前記第二取得部が取得した送信対象情報を、前記第二周波数情報に対応した周波数で、前記電力線を介して前記第一情報処理装置に送信する第二送信部とを備え、前記サーバは、前記第一情報処理装置が送信する第一周波数情報を受信する第一サーバ制御情報受信部と、前記第二情報処理装置が送信する第二周波数情報を受信する第二サーバ制御情報受信部と、前記第一サーバ制御情報受信部が受信した第一周波数情報と前記第二サーバ制御情報受信部が受信した第二周波数情報とに応じて処理対象情報を受信する周波数を決定する周波数決定部と、前記第二情報処理装置が送信する送信対象情報を、前記周波数決定部が決定した周波数で受信する指示である前記受信指示を、前記所定の周波数で、前記第一情報処理装置に送信する受信指示送信部とを備えた電力線通信システムである。
【００２３】
かかる構成により、送信対象情報を受信する周波数を決定する処理を、サーバで集中的に処理することにより、第一情報処理装置の構成を簡略化することができる。
【発明の効果】
【００２４】
本発明による電力線通信システム等によれば、通信を行う周波数等が予め設定されていない場合においても、情報の送受信および処理を行うことができる。
【発明を実施するための最良の形態】
【００２５】
以下、電力線通信システム等の実施形態について図面を参照して説明する。なお、実施の形態において同じ符号を付した構成要素は同様の動作を行うので、再度の説明を省略する場合がある。
【００２６】
（実施の形態１）
図１は、本実施の形態における電力線通信システムの概念図である。
【００２７】
図２は、本実施の形態における電力線通信システムのブロック図である。
【００２８】
電力線通信システムは、第一情報処理装置１、第二情報処理装置２を具備する。第一情報処理装置１および第二情報処理装置２は、電力線（電力通信線）１０００を介して通信可能に接続されている。
【００２９】
第一情報処理装置１は、第一制御情報格納部１００、第一制御情報送信部１０１、第一受信部１０４、第一処理部１０５、第一出力部１０６を具備する。なお、第一情報処理装置１は、これら以外の、情報処理装置としての所定の動作を行うための構成を備えていてもよい。所定の動作とは、例えば、第一情報処理装置１がテレビであれば番組を表示したりする動作等であり、ＤＶＤプレーヤーであれば、ＤＶＤのコンテンツを再生する動作等である。そして、この所定の動作の結果を第一出力部１０６等から出力しても良い。このような構成については公知技術であるため、ここでは、詳細な説明は省略する。かかることは、他の実施の形態においても同様である。
【００３０】
第二情報処理装置２は、第二制御情報格納部２００、第二制御情報受信部２０１、第二周波数決定部２０２、第二属性決定部２０３、出力指定受付部２０４、第二取得部２０５、送信対象情報格納部２０６、第二送信部２０７を具備する。
【００３１】
電力線通信とは、家庭内や施設内等の電力線（電気配線）を用いて情報を送る通信技術であり、映像や音声などの情報データを高周波の信号等に変換して電力線にのせて送受信するものであり、双方向の通信を行うことが可能なものである。電力線通信において、電力線に対して情報を送信する構成や、電力線から情報を受信する構成は、公知技術であるので、ここでは詳細な説明は省略する。ここで述べる電力線とは、電力を供給する線であり、その電力は、交流、直流を問わない。つまり、電力線については、広く解する。
【００３２】
第一情報処理装置１は、電力線通信を介して送信される情報に応じた処理を行い、その処理結果に応じた出力を行う装置であれば、どのような装置であっても良い。第一情報処理装置１は、例えば、テレビや、ＤＶＤレコーダー、ハードディスクレコーダー、ビデオテープレコーダー、ＣＤプレーヤー、チューナー、カセットテープレコーダー、アンプ、サラウンドシステム等のデジタルやアナログの映像音声機器であってもよく、ゲーム機や、パーソナルコンピュータ、携帯情報端末等であってもよく、また、冷蔵庫や、洗濯機、エアコン等の家電や、給湯システムのような設備機器であってもよい。例えば、第一情報処理装置１は、ＬＥＤ（発光ダイオード）照明等の照明装置であっても良い。また、この照明装置は、電力線通信を介して送信される情報に応じてＯＮ／ＯＦＦの制御や動きの制御が可能なものであっても良いし、可視光通信が可能なものであっても良い。可視光通信とは、可視光を利用して情報を伝達する通信技術であり、主にＬＥＤ等を光源に用いた照明機器等が出力する光の周波数を変調させたり、点滅させたりすることにより情報を送信する技術である。この場合、この照明装置には、電力線通信を介して、照明制御を行うための信号や、可視光通信されるデータを含む情報が送信される。また、第一情報処理装置１が、電力線１０００と接続されるインターフェース等は問わない。
【００３３】
第一制御情報格納部１００には、自装置、すなわち第一情報処理装置１が処理可能な情報である処理対象情報についての属性を示す情報である第一属性情報と、自装置が処理対象情報を受信可能な周波数を示す情報である第一周波数情報とが格納されている。処理対象情報とは、具体的には、第一情報処理装置１が処理対象とする情報である。処理対象情報は、デジタルデータであっても、アナログデータであっても良い。また、ファイル形式や、データの種類、圧縮方式等は問わない。例えば処理対象情報は、第一情報処理装置１が照明装置である場合、自装置を制御するための情報、例えば、照明のＯＮ／ＯＦＦや動き等の照明制御を行うための情報や、自装置が可視光通信する情報である。第一属性情報は、例えば、後述する第一処理部１０５が処理可能な処理対象情報の属性を示す情報である。属性とは、処理対象情報のファイル形式や、音声データであるかビデオデータであるかや、アナログデータであるかデジタルデータであるか等の、データの種類や、圧縮方式等である。第一周波数情報は、第一情報処理装置１が処理対象情報を受信可能な周波数または周波数帯を示す情報である。第一情報処理装置１が処理対象情報を受信可能な周波数は、一の周波数であっても良いし、周波数の範囲を示す周波数帯やチャンネル等でもよい。また、複数の周波数や、複数の周波数帯でも良い。また、第一制御情報格納部１００には、第一情報処理装置１を他の装置と識別するための識別情報である装置識別情報が格納されていても良い。装置識別情報は、具体的には、名称や製品番号等の識別情報や、機器の種類やメーカー等を識別可能な識別情報や、第一情報処理装置１の電力線１０００のネットワーク上のアドレス情報等である。第一制御情報格納部１００は不揮発性の記録媒体でも、揮発性の記録媒体でも良い。
【００３４】
第一制御情報送信部１０１は、自装置が処理可能な情報である処理対象情報についての属性を示す情報である第一属性情報と、自装置が処理対象情報を受信可能な周波数を示す情報である第一周波数情報とを、予め指定された所定の周波数で、電力線１０００を介して第二情報処理装置２に送信する。予め指定された所定の周波数は、一の周波数であっても良いし、周波数の範囲を示す周波数帯やチャンネル等でもよく、複数の周波数や、複数の周波数帯でも良い。この周波数を指定する情報は、例えば、図示しない記憶媒体等に予め格納されているようにし、送信時等に読み出すようにすればよい。以下、この予め指定された所定の周波数を制御用周波数と称す。第一属性情報と第一周波数情報とを送信するタイミングやトリガー等は問わない。例えば、第一情報処理装置１が電力線に接続されたことや、電源が投入されたことをトリガーとして第一属性情報と第一周波数情報とを送信しても良いし、第二情報処理装置２から第一属性情報と第一周波数情報との送信を要求する信号、送信のトリガーとなる信号を受信した場合に、第一属性情報と第一周波数情報とを送信しても良い。第二情報処理装置２を送信先に指定する方法は問わない。例えば、第二情報処理装置２を送信先に指定するための情報、例えばアドレス情報等は、予めメモリ等に格納されていても良いし、第二情報処理装置２から送信された情報を利用しても良い。また、送信先を指定せずに、電力線を用いた放送によって第一属性情報と第一周波数情報とを送信しても良い。また、第一属性情報と第一周波数情報とに加えて、第一情報処理装置１の装置識別情報等を送信しても良い。第一制御情報送信部１０１は、通常、通信手段で実現されるが、放送手段で実現されても良い。なお、電力線を介して情報を送信するための通信インターフェース等の構成は公知であるので説明は省略する。
【００３５】
第一受信部１０４は、電力線１０００を介して第二情報処理装置２から送信される処理対象情報を受信する。具体的には、第一受信部１０４は、第一制御情報送信部１０１が送信した、自機器が受信可能な周波数を用いて第二情報処理装置２から送信される処理対象情報を受信する。なお、第一受信部１０４が受信可能な周波数や周波数帯が複数ある場合、予め、第二情報処理装置２との間で、どの周波数や周波数帯を処理対象情報の受信に用いるかを決定することが好ましい。例えば、第二情報処理装置２から送信される処理対象情報の受信を行う前または受信時に、どの周波数や周波数帯を用いるかを指定する情報や、どの属性の情報を送信するかを示す情報を、第２情報処理装置２から、上述した第一制御情報送信部１０１が第一属性情報等を送信する所定の周波数等で受信して、処理対象情報を受信する周波数や、受信する処理対象情報の属性等を決定しても良い。第一受信部１０４は、通常、無線または有線の通信手段で実現されるが、放送を受信する手段で実現されても良い。
【００３６】
第一処理部１０５は、第一受信部１０４が受信した処理対象情報を処理する。第一処理部１０５が行う処理は、予め設定された処理であってもよいし、処理対象情報に応じた処理であっても良い。第一処理部１０５が行う処理は問わない。第一処理部１０５が行う処理は、例えば、デジタルデータの映像信号や音声信号に対してデコードやエンコード等を行う処理であっても良いし、第一受信部１０４が受信したアナログデータに対して変調等を行って映像信号や音声信号を得る処理等であっても良い。あるいは第一受信部１０４が受信したコマンドを実行する処理等であってもよい。また、例えば、第一情報処理装置１がＬＥＤ照明等の照明装置である場合、第一処理部１０５が、処理対象情報に応じて、電力線通信を介して送信される情報に応じて照明のＯＮ／ＯＦＦの制御や、照明の照射方向の動きの制御を行っても良い。また、第一情報処理装置１が、可視光通信を行う照明装置である場合、第一処理部１０５は、第一受信部１０４が受信した可視光通信として送信する情報を、可視光として出力するための光の出力パターン、例えば可視光の点滅パターンや変調パターン等を取得する。第一処理部１０５の処理手順は、通常、ソフトウェアで実現され、当該ソフトウェアはＲＯＭ等の記録媒体に記録されている。但し、ハードウェア（専用回路）で実現しても良い。
【００３７】
第一出力部１０６は、第一処理部１０５が処理した結果として得られた情報、例えば、処理された処理対象情報を出力する。ここで述べる出力とは、ディスプレイへの表示、プリンタへの印字、音出力、外部の装置への送信、記録媒体への蓄積、自装置あるいは他の装置への制御信号等の信号の出力等を含む概念である。また、第一出力部１０６は、第一情報処理装置１が、可視光通信を行う照明装置である場合、第一処理部１０５が取得した、第一受信部１０４が受信した処理対象情報を可視光として出力するための光の出力パターンに応じて光を出力してもよい。第一出力部１０６は、ディスプレイやＬＥＤ等の光源、スピーカー等の出力デバイスを含むと考えても含まないと考えても良い。第一出力部１０６は、出力デバイスのドライバーソフトまたは、出力デバイスのドライバーソフトと出力デバイス等で実現され得る。
【００３８】
第二情報処理装置２は、電力線通信を介して第一情報処理装置１が処理可能な処理対象情報を送信する装置であれば、どのような装置であっても良い。例えば、第二情報処理装置２は、テレビや、ＤＶＤレコーダー、ハードディスクレコーダー、ビデオテープレコーダー、ＣＤプレーヤー、チューナー、カセットテープレコーダー、アンプ、サラウンドシステム等のデジタルやアナログの映像音声機器であってもよく、ゲーム機や、パーソナルコンピュータ、携帯情報端末等であってもよく、また、冷蔵庫や、洗濯機、エアコン等の家電や、照明装置や、給湯システムのような設備機器であってもよい。また、第二情報処理装置２は、一以上の第一情報処理装置１を制御するための管理システム等の装置であっても良い。第二情報処理装置２は、例えば、１以上の第一情報処理装置１が照明装置である場合、この照明装置に対して、ＯＮ／ＯＦＦや動き等の照明制御を行うための信号や、可視光通信されるデータを含む信号を送信する装置であっても良い。また、第二情報処理装置２が、電力線１０００と接続されるインターフェース等は問わない。
【００３９】
第二制御情報格納部２００には、自装置、すなわち第二情報処理装置２が送信可能な情報である送信対象情報についての属性を示す情報である第二属性情報と、自装置が処理対象情報を送信可能な周波数を示す情報である第二周波数情報とが格納されている。送信対象情報とは、具体的には送信の対象となり得る情報のことであり、例えば、第一情報処理装置１等の情報処理装置や他の装置等が処理可能な情報であればどのような情報であっても良く、例えばコンテンツの情報や、コマンド等の情報であってもよい。送信対象情報は、デジタルデータであっても、アナログデータであっても良い。また、ファイル形式や、データの種類、圧縮方式等は問わない。送信対象情報は、例えば、第一情報処理装置１が照明装置である場合、ＯＮ／ＯＦＦや動き等の照明制御を行うための情報や、自装置が可視光通信する情報である。例えば、上述した処理対象情報を含む概念である。第二属性情報は、送信対象情報の属性を示す情報である。属性とは、各送信対象情報のファイル形式や、音声データであるかビデオデータであるかや、アナログデータであるかデジタルデータであるか等の、データの種類や、圧縮方式等である。第二属性情報は、例えば上述した第一属性情報と同様のものである。第二周波数情報は、第二情報処理装置２が送信対象情報を電力線１０００を介して送信する際に利用する周波数または周波数帯を示す情報である。第二情報処理装置２が処理対象情報を送信可能な周波数は、一の周波数であっても良いし、周波数の範囲を示す周波数帯やチャンネル等でもよい。また、複数の周波数や、複数の周波数帯でも良い。第二周波数情報は、例えば上述した第一周波数情報と同様のものである。また、第二制御情報格納部２００には、第二情報処理装置２を他の装置と識別するための識別情報である装置識別情報が格納されていても良い。装置識別情報は、具体的には、名称や製品番号等の識別情報や、機器の種類やメーカー等を識別可能な識別情報や、第二情報処理装置２の電力線１０００のネットワーク上のアドレス情報等である。第二制御情報格納部２００は不揮発性の記録媒体でも、揮発性の記録媒体でも良い。
【００４０】
第二制御情報受信部２０１は、第一情報処理装置１から制御用周波数で送信される第一属性情報と第一周波数情報とを受信する。また、第一情報処理装置１から制御用周波数で送信される第一情報処理装置１の装置識別情報を受信しても良い。第二制御情報受信部２０１は、通常、通信手段で実現されるが、放送を受信する手段で実現されても良い。
【００４１】
第二周波数決定部２０２は、第二制御情報受信部２０１が受信した第一情報処理装置１の第一周波数情報に応じて、第一情報処理装置１に処理対象情報を送信する際に利用する周波数を決定する。例えば、第二情報処理装置２は、第二制御情報格納部２００に、当該第二情報処理装置２が処理対象情報を送信することが可能な周波数を示す第二周波数情報を格納しており、当該第二周波数情報を読み出して、読み出した第二周波数情報が示す第二情報処理装置２が送信可能な周波数の中から、第一周波数情報が示す第一情報処理装置１が受信可能な周波数と一致する周波数を決定する。ここで述べる周波数は、一の周波数であっても周波数帯であっても良い。特に、ここでは第二周波数決定部２０２は、第二情報処理装置２が処理対象情報を送信することが可能な周波数や周波数帯のなかに、第一情報処理装置１が受信可能な周波数や周波数帯が複数ある場合、処理対象情報を送信する際に利用する一以上の周波数や周波数帯を、複数の周波数または周波数帯から選択する。処理対象情報を送信する際に利用する一以上の周波数や周波数帯を、複数の周波数または周波数帯から選択する方法は、どのような方法であっても良く、ランダムに決定しても良いし、周波数の最も小さいものを選択するようにしても良い。なお、第二制御情報受信部２０１が受信した第一周波数情報に応じた周波数が決定できなかった場合、例えば、第一周波数情報に対応した周波数が、第二周波数情報が示す周波数の中になかった場合、第二周波数決定部２０２は第一周波数情報に応じた周波数で処理対象情報を送信できないことを判断してもよい。第二周波数決定部２０２は、通常、ＭＰＵやメモリ等から実現され得る。第二周波数決定部２０２の処理手順は、通常、ソフトウェアで実現され、当該ソフトウェアはＲＯＭ等の記録媒体に記録されている。但し、ハードウェア（専用回路）で実現しても良い。なお、処理対象情報を送信する周波数を決定する必要がない場合、例えば、第一周波数情報が示す周波数あるいは周波数帯が一つに限られている場合等には、第二周波数決定部２０２は省略しても良い。
【００４２】
第二属性決定部２０３は、第二制御情報受信部２０１が受信した第一属性情報に応じて取得の対象となる処理対象情報の属性を決定する。ここでの処理対象情報の属性を決定するとは、第一情報処理装置１が処理可能な処理対象情報のうちの、第二情報処理装置２が送信の対象とする処理対象情報が対応付けられている属性を示す情報を決定することである。具体的には、第二制御情報受信部２０１が受信した第一属性情報に応じて、どのような第二属性情報に対応した処理対象情報を送信の対象とするかを決定することである。例えば、第二情報処理装置２は、上述した第二制御情報格納部２００に、当該第二情報処理装置２が送信可能な情報である送信対象情報の属性を示す情報である第二属性情報を格納しており、当該第二属性情報を読み出し、第一属性情報と第二属性情報とを比較して、第二情報処理装置２が送信可能な送信対象情報の属性の中から、第一情報処理装置１が処理可能な処理対象情報の属性に対応する属性、具体的には一致する属性を検出する。具体的には、第二属性情報の中から、第一属性情報と一致するものを検出する。この一致の判断は部分一致であっても良い。この検出した属性、すなわち検出された第二属性情報が示す属性が、取得の対象となる処理対象情報の属性に決定される。そして、この属性を有する処理対象情報が後述する第二取得部２０５により取得される。特に、第二属性決定部２０３は、第一情報処理装置１が送信した第一属性情報に一致すると判断された第二属性情報が、一の処理対象情報が同時に有し得ない複数の属性を示すものである場合、すなわち、第一情報処理装置１が属性の異なる複数の処理対象情報を受信して処理可能なものである場合、そのいずれか一方の属性を、取得対象とする処理対象情報の属性に決定することが好ましい。一の処理対象情報が同時に有し得ない複数の属性とは、ＧＩＦとＪＰＥＧ等のファイル形式の属性や、アナログとデジタル等のデータの属性等である。逆にデジタルとＪＰＥＧ等は同時に有し得る複数の属性である。例えば、第一情報処理装置１が処理可能なデータのファイル形式を指定する第一属性情報として、ＭＰ３形式とＡＡＣ形式とを指定する属性が含まれていた場合、いずれのファイル形式の処理対象情報を取得の対象とするかを決定する。なお、いずれの属性を、取得の対象とする処理対象情報の属性に決定するかについては、どのように決定しても良い。例えば、ランダムに決定しても良いし、予め指定されている優先順位に応じて決定しても良い。なお、ここで述べる属性とは、第一属性情報が示す属性と同様の、処理対象情報のファイル形式や、音声データであるかビデオデータであるかや、アナログデータであるかデジタルデータであるか等の、データの種類や、圧縮方式等である。なお、第二属性決定部２０３により、第一情報処理装置１がアナログデータを処理することを示す属性が決定された場合、第二情報処理装置２は属性がアナログデータであることを示す処理対象情報を送信する。同様に、また、第二属性決定部２０３により、第一情報処理装置１がデジタルデータを受信することを示す属性が決定された場合、第二情報処理装置２は属性がデジタルデータであることを示す処理対象情報を送信する。なお、第二制御情報受信部２０１が受信した第一属性情報に応じた取得の対象となる処理対象情報の属性が決定できなかった場合、例えば、第一属性情報に対応した属性が、第二属性情報が示す属性の中になかった場合、第二属性決定部２０３は第一属性情報に応じた取得の対象となる処理対象情報がないことを判断する。第二属性決定部２０３は、通常、ＭＰＵやメモリ等から実現され得る。第二属性決定部２０３の処理手順は、通常、ソフトウェアで実現され、当該ソフトウェアはＲＯＭ等の記録媒体に記録されている。但し、ハードウェア（専用回路）で実現しても良い。なお、取得の対象となる処理対象情報の属性を決定する必要がない場合、例えば、第一属性情報が、一の処理対象情報が同時に有し得ない複数の属性を示すものでない場合等には、第二属性決定部２０３は省略しても良い。
【００４３】
出力指定受付部２０４は、第二情報処理装置２が送信する処理対象情報を指定する情報である出力指定情報を受け付ける。処理対象情報の指定とは、具体例としては、第二情報処理装置２が送信するコンテンツの指定である。コンテンツの指定は、例えば、コンテンツ名や、コンテンツＩＤや、コンテンツのジャンル名、チャンネル名、ソース名等のコンテンツを識別するための情報を用いた指定である。なお、処理対象情報の内容についての指定が不要な場合、出力指定受付部２０４は省略可能である。処理対象情報を指定するための情報の入力手段は、テンキーやキーボードやマウスやメニュー画面によるもの等、何でも良い。また、電力線１０００等を介して、第一情報処理装置１等の他の装置から指定を受けつけても良い。出力指定受付部２０４は、テンキーやキーボード等の入力手段のデバイスドライバーや、メニュー画面の制御ソフトウェア、通信手段等で実現され得る。
【００４４】
第二取得部２０５は、第二制御情報受信部２０１が受信した第一属性情報に対応した処理対象情報を取得する。ここで述べる取得とは、外部からの処理対象情報の受け付けや、記録媒体等から処理対象情報の読み出し等である。また、ここで述べる取得とは、読み出し等により得られたこれらの処理対象情報に対して、デコードしたり、エンコードしたり、ファイル形式を変更したり等の変換処理を行うことで、第二制御情報受信部２０１が受信した第一属性情報に対応した処理対象情報を構成することも含む概念である。ここでは、送信対象情報格納部２０６に一以上の送信対象情報が予め格納されており、第二取得部２０５は、第二属性決定部２０３が決定した属性に応じた送信対象情報を、送信対象情報格納部２０６から処理対象情報として読み出して取得する場合を例に挙げて説明する。ただし、第二取得部２０５が、どのように第二制御情報受信部２０１が受信した第一属性情報に対応した処理対象情報を取得してもよく、例えば、第二属性決定部２０３の判断結果を用いずに、第二制御情報受信部２０１が受信した第一属性情報を、そのまま検索キー等として用いて検索を行い、この第一属性情報と一致する第二属性情報と対応付けられた送信対象情報である処理対象情報を取得してもよい。ここで、出力指定受付部２０４が出力指定情報を受け付けている場合、第一属性情報に対応した処理対象情報のうちの、この出力指定情報に対応した処理対象情報を取得する。具体的には、第一属性情報に対応した処理対象情報から、この出力指定情報を検索キーとして、この出力指定情報に一致する処理対象情報を取得する。なお、第二取得部２０５が、処理対象情報を取得するトリガーやタイミング等は問わない。例えば、上述した第一属性情報を受信したことをトリガーとして処理対象情報を取得しても良いし、出力指定受付部２０４が、出力指定情報を受け付けた場合に、処理対象情報を取得しても良い。第二取得部２０５は、通常、ＭＰＵやメモリ等から実現され得る。第二取得部２０５の処理手順は、通常、ソフトウェアで実現され、当該ソフトウェアはＲＯＭ等の記録媒体に記録されている。但し、ハードウェア（専用回路）で実現しても良い。
【００４５】
送信対象情報格納部２０６には、一以上の送信対象情報が格納されている。具体的には、送信対象情報格納部２０６には、送信対象情報が、それぞれの属性を示す情報と対応付けて格納されている。送信対象情報の属性は、第二属性情報が示す属性等と同様の属性である。送信対象情報格納部２０６は、不揮発性の記録媒体でも、揮発性の記録媒体でも良い。
【００４６】
第二送信部２０７は、第二取得部２０５が取得した処理対象情報を、電力線１０００を介して、第一周波数情報に対応した周波数で第一情報処理装置１に送信する。ここでは例として、第二送信部２０７が、第二取得部２０５が取得した送信対象情報である処理対象情報を、第二周波数決定部２０２が第一周波数情報に応じて決定した周波数で送信する。ただし、第二周波数決定部２０２が判断を行う代わりに、第一周波数情報が示す周波数が一つである場合、この周波数で送信可能であれば、この周波数で第二送信部２０７が処理対象情報を送信するようにしても良い。また、第二送信部２０７は、処理対象情報を送信する周波数や、送信する処理対象情報の属性を示す情報を、処理対象情報の送信前または送信時に第一情報処理装置１に送信するようにしても良い。第二送信部２０７は、通常、通信手段で実現されるが、放送手段で実現されても良い。
【００４７】
次に、電力線通信システムの第一情報処理装置１の動作について図３のフローチャートを用いて説明する。
【００４８】
（ステップＳ３０１）第一制御情報送信部１０１は、第一属性情報と第一周波数情報とを送信するタイミングであるか否かを判断する。例えば、第一制御情報送信部１０１は、第一情報処理装置１が電力線１０００に接続された場合に、第一属性情報と第一周波数情報とを送信するタイミングであると判断する。タイミングであると判断した場合、ステップＳ３０２に進み、タイミングでないと判断した場合、ステップＳ３０１に戻る。
【００４９】
（ステップＳ３０２）第一制御情報送信部１０１は、第一制御情報格納部１００から第一属性情報と第一周波数情報とを読み出す。
【００５０】
（ステップＳ３０３）第一制御情報送信部１０１は、ステップＳ３０２において読み出した第一属性情報と第一周波数情報とを第二情報処理装置２に、電力線１０００を介して、制御用周波数で送信する。
【００５１】
（ステップＳ３０４）第一受信部１０４は、処理対象情報が送信される周波数を指定する情報を受信したか否かを判断する。受信した場合、ステップＳ３０５に進み、受信していない場合、ステップＳ３０４に戻る。なお、第一情報処理装置１が受信可能な周波数または周波数帯が一つである場合等には、受信周波数を決定する必要がないため、この処理は省略可能である。また、第一受信部１０４が、自装置が受信可能な一以上の周波数または周波数帯に処理対象情報が送信されているか否かをスキャンして、処理対象情報が送信されている周波数または周波数帯を受信周波数に決定する場合等には、受信周波数を決定する必要がないため、この処理は省略可能である。なお、予め設定された時間が経過しても周波数を指定する情報が受信できなかった場合には、受信処理を終了してもよい。また、このステップＳ３０４の処理と同様に、ステップＳ３０５の処理の前に、第一受信部１０４が、送信される処理対象情報の属性を指定する情報を受信したか否かの判断を、属性を指定する情報が受信されるまで繰り返す処理を行うようにしてもよい。この属性を指定する情報を受信することで、その後の受信した処理対象情報の処理を適切に行うことが可能となる。
【００５２】
（ステップＳ３０５）第一受信部１０４は、ステップＳ３０４において受信した情報が示す周波数で、処理対象情報を受信したか否かを判断する。受信した場合、ステップＳ３０６に進み、受信していない場合、ステップＳ３０８に進む。
【００５３】
（ステップＳ３０６）第一処理部１０５は、ステップＳ３０７において受信した処理対象情報に対して所定の処理を行う。なお、第一情報処理装置１が、一の処理対象情報が同時に有し得ない複数の異なる属性を有する処理対象情報を処理可能なものである場合、ステップＳ３０５において受信した処理対象情報に、当該処理対象情報の属性を示す情報を、例えば処理対象情報の拡張子や、処理対象情報のヘッダ内に格納しておくようにし、第一処理部１０５は、この属性を示す情報を読み出して、処理対象情報の処理を行うようにしてもよい。
【００５４】
（ステップＳ３０７）第一出力部１０６は、ステップＳ３０６において行われた処理の結果を示す情報、例えば処理された処理対象情報を出力する。
【００５５】
（ステップＳ３０８）第一受信部１０４は、処理対象情報の受信を終了するか否かを判断する。第一受信部１０４は、例えば、処理対象情報の終わりを示す情報を受信したことによって、受信の終了を判断しても良いし、所定の時間、処理対象情報を受信しなかった場合に受信の終了を判断しても良い。また、図示しない受付部により、ユーザからの出力を終了する指示を受け付けた場合に受信の終了を判断しても良い。受信を終了する場合、処理を終了し、受信を終了しない場合、ステップＳ３０５に戻る。
【００５６】
なお、ステップＳ３０４の処理の前等に、第二情報処理装置２から、第一情報処理装置１の受信可能な周波数で処理対象情報が送れないことを示す情報や、第一情報処理装置１の処理可能な属性を有する処理対象情報が送れないことを示す情報を受信する処理ステップを行うようにし、これらの情報を受け取った場合には処理を終了するようにしても良い。
【００５７】
なお、図３のフローチャートにおいて、電源オフや処理終了の割り込みにより処理は終了する。
【００５８】
次に、電力線通信システムの第二情報処理装置２の動作について図４のフローチャートを用いて説明する。
【００５９】
（ステップＳ４０１）第二制御情報受信部２０１は、第一情報処理装置１から第一属性情報と第一周波数情報とを、第一属性情報と第一周波数情報とを送信する際に用いる所定の周波数である制御用周波数により受信したか否かを判断する。受信した場合、ステップＳ４０２に進み、受信していない場合、ステップＳ４０１に戻る。
【００６０】
（ステップＳ４０２）第二周波数決定部２０２は、ステップＳ４０１において受信した第一周波数情報と、自装置が処理対象情報を送信可能な周波数を示す情報である第二周波数情報とから、処理対象情報を送信する周波数を決定する。なお、周波数が決定できなかった場合、第一情報処理装置１の受信可能な周波数で処理対象情報が送れないことを示す情報を、第二送信部２０７から制御用周波数で第一情報処理装置１に送信して処理を終了してもよい。
【００６１】
（ステップＳ４０３）第二周波数決定部２０２は、ステップＳ４０２において決定した周波数を示す情報を、図示しないメモリ等に蓄積する。
【００６２】
（ステップＳ４０４）第二属性決定部２０３は、ステップＳ４０１において受信した第一属性情報と、自装置が送信可能な処理対象情報の第二属性情報とを比較して、送信する処理対象情報の属性を決定する。なお、属性が決定できなかった場合、第一情報処理装置１の処理可能な属性に対応付けられた処理対象情報が送れないことを示す情報を、第二送信部２０７から制御用周波数で第一情報処理装置１に送信して処理を終了する。
【００６３】
（ステップＳ４０５）第二属性決定部２０３は、ステップＳ４０４で決定した処理対象情報の属性を示す情報を、図示しない格納部等に蓄積する。
【００６４】
（ステップＳ４０６）出力指定受付部２０４は、出力指定情報を受け付けたか否かを判断する。受け付けた場合、ステップＳ４０７に進み、受け付けていない場合、ステップＳ４０６に戻る。
【００６５】
（ステップＳ４０７）第二送信部２０７は、ステップＳ４０３において蓄積した、処理対象情報を送信する周波数を示す情報を、制御用周波数で、第一情報処理装置１に送信する。なお、第一情報処理装置１において、第二情報処理装置２が処理対象情報を送信する周波数を示す情報を利用しない場合、この処理は省略しても良い。また、このステップの前後において、ステップＳ４０５において蓄積した、送信する処理対象情報の属性を示す情報を、制御用周波数で、第一情報処理装置１に送信するようにしてもよい。
【００６６】
（ステップＳ４０８）第二取得部２０５は、ステップＳ４０５において蓄積された送信する処理対象情報の属性を示す情報と、ステップＳ４０６において受信した出力指定情報とを用いて、この処理対象情報の属性を示す情報に対応する送信対象情報であって、ステップＳ４０６において受け付けた出力指定情報に対応した送信対象情報である処理対象情報を、送信対象情報格納部２０６から取得、例えば読み出す。
【００６７】
（ステップＳ４０９）第二送信部２０７は、ステップＳ４０８において取得した処理対象情報を、第一情報処理装置１に送信する。なお、送信する処理対象情報の属性を示す情報を、予め、第二送信部２０７から送信しておくようにしてもよい。また、第二送信部２０７が送信する処理対象情報の第一属性情報を、拡張子や処理対象情報のヘッダ等に格納した処理対象情報を、第二送信部２０７が構成し、第一情報処理装置１に送信するようにしても良い。
【００６８】
（ステップＳ４１０）第二送信部２０７は、送信処理を終了するか否かを判断する。例えば、第二送信部２０７は、送信する処理対象情報がなくなった場合やユーザから処理を終了する指示を受け付けた場合に処理を終了すると判断する。終了すると判断した場合、処理を終了し、終了しないと判断した場合、ステップＳ４０８に戻る。
【００６９】
なお、図４のフローチャートにおいて、電源オフや処理終了の割り込みにより処理は終了する。
【００７０】
以下、本実施の形態における電力線通信システムの具体的な動作について説明する。
電力線通信システムの具体例を示す図は図５である。ここでは、例として、電力線１０００が宅内の電力線、第一情報処理装置１が、アンプを内蔵したスピーカーシステム、第二情報処理装置２が、ハードディスクに蓄積されている音声データと動画像データとを出力するデジタルオーディオ・ビデオプレーヤであるとする。また、この第二情報処理装置２は、音声データ、静止画像データおよび動画像データを、デジタルデータまたはアナログデータのいずれのデータ形式でも送信できるものであるとする。そして、第一情報処理装置１および第二情報処理装置２が電力線１０００に接続されているものとする。
【００７１】
ここでは、説明のため、電力線１０００を用いた通信に利用される周波数や周波数帯を、チャンネルと呼ぶ。チャンネルとは、通信や放送における特定の周波数ごとの区切りのことである。ここでは、チャンネル毎に、中心周波数が決まっているものとする。
【００７２】
第一情報処理装置１は、アナログの音声情報のみを再生可能なスピーカーシステムであり、５チャンネルで処理対象情報が受信可能であるとする。
【００７３】
図６は、第一制御情報格納部１００に格納されている第一周波数情報と第一属性情報とを管理するための第一制御情報管理表である。第一制御情報管理表は、第一情報処理装置１が受信可能な周波数である「第一周波数情報」と、第一情報処理装置１が処理可能な処理対象情報の属性を示す情報である「第一属性情報」とを管理している。ここでは、第一情報処理装置１がアナログの音声情報だけを受信して出力できるものであるため、「第一属性情報」には、「アナログ音声」という第一属性情報が格納されている。
【００７４】
また、第二情報処理装置２の送信対象情報格納部２０６には、送信対象情報として、デジタルデータである音声情報と動画像情報とが格納されているものとする。また、第二情報処理装置２は、３〜８チャンネルで、音声情報を送信可能であるとする。
【００７５】
図７は、第二情報処理装置２の第二制御情報格納部２００に格納されている、第二情報処理装置２の送信可能な送信対象情報の属性を示す第二属性情報と、第二情報処理装置２が送信可能な周波数を示す情報である第二周波数情報とを管理するための第二制御情報管理表である。第二制御情報管理表は、第二情報処理装置２が送信可能な周波数を示す情報である「第二周波数情報」と、第二情報処理装置２が送信可能な送信対象情報の属性を示す情報である「第二属性情報」とを管理している。
【００７６】
また、第一情報処理装置１と第二情報処理装置２との間で行われる、第一属性情報や第一周波数情報等の送受信に用いられる制御用周波数としては、０チャンネルが用いられることが予め決まっているものとする。
【００７７】
まず、電力線１０００に第二情報処理装置２が接続されている状態で、第一情報処理装置１を電力線１０００に接続すると、第一情報処理装置１の第一制御情報送信部１０１は、図６に示した第一制御情報管理表の属性値である第一周波数情報と第一属性情報とを読み出して、電力線１０００を用いて第二情報処理装置２に送信する。
【００７８】
なお、電力線１０００のネットワーク上の第一情報処理装置１や第二情報処理装置２のアドレス等は、どのように取得するようにしても良い。例えば、ユーザ等によりアドレス情報や機器の識別情報を指定するようにしても良い。また、装置のアドレス等を指定せずに、放送等により第一周波数情報や第一属性情報を送信しても良い。
【００７９】
第二情報処理装置２の第二制御情報受信部２０１は、第一情報処理装置１から送信される第一周波数情報と第一属性情報とを受信する。
【００８０】
第二制御情報受信部２０１が第一周波数情報と第一属性情報とを受信すると、第二周波数決定部２０２は、第二制御情報受信部２０１が受信した、図６の第一制御情報管理表が示す第一周波数情報と、図７に示した第二制御情報管理表の第二周波数情報とを比較する。そして、一致する周波数、ここではチャンネルを決定する。ここでは、「５チャンネル」が一致するチャンネルと決定され、図示しないメモリ等の格納部に、第一情報処理装置１と対応付けて蓄積される。なお、複数のチャンネルが一致した場合、複数のチャンネルのうちの一のチャンネルだけを、予め設定されたルール等に応じて選択することが好ましい。このルールは、例えば、最も中心周波数の小さいチャンネルを選択する、というルール等である。
【００８１】
つぎに、第二属性決定部２０３は、第二制御情報受信部２０１が受信した第一属性情報と、図７に示した第二制御情報管理表の第二属性情報とを比較する。そして、一致する第二属性情報（または第一属性情報）が示す属性を、送信対象となる処理対象情報の属性に決定する。ここでは、「アナログ音声」という第二属性情報の示す属性が、第一属性情報が示す属性と一致すると判断される。そして、ここでは、この「アナログ音声」という属性を示す第二属性情報を、図示しないメモリ等の格納部に、第一情報処理装置１と対応付けて蓄積する。この蓄積した第二属性情報が、第二取得部２０５が取得の対象となる処理対象情報を判断する際に利用する第二属性情報である。なお、第一属性情報が、一の処理対象情報が同時に有し得ない複数の属性を含んでいる場合、例えば、第一属性情報がファイル形式等の同じカテゴリーに属する複数の属性を有している場合において、複数の第二属性情報が第一属性情報と一致すると判断された場合、この第二属性情報のうちの一方が示す属性を予め設定されたルール等に応じて選択することが好ましい。例えば、属性の優先順位等が決められており、この優先順位の高い属性が選択されるようにしてもよい。
【００８２】
次に、第二情報処理装置２の出力指定受付部２０４が、処理対象情報の指定を受け付けたとする。ここでは、例えば、音声情報である処理対象情報のジャンルである「クラシック」を選択ボタン等を介して受け付けたとする。出力指定受付部２０４は、この処理対象情報のジャンルを示す文字列の出力指定情報「クラシック」を構成し、第二取得部２０５に出力する。
【００８３】
第二送信部２０７は、第二周波数決定部２０２が判断した周波数を示す情報、ここでは「５チャンネル」を示す情報を、第一情報処理装置１に電力線１０００を介して０チャンネルで送信する。
【００８４】
第一情報処理装置１の第一受信部１０４が、０チャンネルでこの「５チャンネル」を示す情報を受信すると、第一情報処理装置１は、処理対象情報が５チャンネルで第二情報処理装置２から送信されることを判断する。
【００８５】
なお、同様に、第二属性決定部２０３が決定した属性を示す情報を第一情報処理装置１に送信するようにしても良い。
【００８６】
図８は、送信対象情報格納部２０６に格納されている送信対象情報を管理するための送信対象情報管理表である。送信対象情報管理表は、「ＩＤ」、「ジャンル」、「ファイル形式」、および「データ」という属性を有している。「ＩＤ」は、各送信対象情報を管理するための識別情報である。「ジャンル」は送信対象情報のジャンルであり、出力指定情報に相当する。「ファイル形式」は音声情報の属性である。
【００８７】
第二取得部２０５は、第二属性決定部２０３が決定した「アナログ音声」という属性を示す第二属性情報を図示しない格納部から読み出し、第二属性決定部２０３が決定した第二属性情報が示す属性と一致する属性に対応付けられた送信対象情報であって、出力指定受付部２０４が受け付けた出力指定情報に一致する送信対象情報、ここでは、同じ「ジャンル」の送信対象情報を取得する。なお、第二属性決定部２０３が決定した属性に対応した処理対象情報は、ここでは、第二属性決定部２０３が決定した属性に応じて予め指定されているルールに従って取得されるものとする。このルールは、ここでは例として、第二属性決定部２０３が決定した属性が「アナログ音声」である場合、第二取得部２０５が送信対象情報格納部２０６に格納されているファイル形式が「ＭＰ３」、および「ＡＡＣ」であるデジタル音声情報を読み出し、デコードしてアナログ音声を取得する、というルールであるとする。
【００８８】
ここでは、出力指定受付部２０４が受信した出力指定情報が「クラシック」であり、第二属性決定部２０３が判断した第一属性情報が「アナログ音声」であるため、第二取得部２０５は、上述したルールに従って、「ファイル形式」の属性値が「ＭＰ３」または「ＡＡＣ」であり、「ジャンル」の属性値が、出力指定情報である「クラシック」と一致するレコードを送信対象情報管理表内で検索する。ここでは、「ＩＤ」が「０００２」であるレコードと「ＩＤ」が「０００３」であるレコードが検索される。ここでは例として、予め、「ＩＤ」の値が小さいものから順に優先順位が高くなるように決められており、２つのレコードが検索された場合、この「ＩＤ」の優先順位の高い方のレコードの音声情報を取得するものとする。これにより、「ＩＤ」が「０００２」であるレコードの、「ジャンル」が「クラシック」、「ファイル形式」が「ＭＰ３」である音声情報を、第二取得部２０５が読み出す。そして、このＭＰ３形式のデジタル音声情報をデコードして、処理対象情報であるアナログ音声情報を取得する。これにより、第二取得部２０５は、第二制御情報受信部２０１が受信した第一属性情報に対応した処理対象情報であるアナログ音声情報を得る。
【００８９】
そして、第二送信部２０７は、第二取得部２０５が取得したアナログ音声情報を変調して、第二周波数決定部２０２が判断した周波数、ここでは５チャンネルで第一情報処理装置１に送信する。
【００９０】
第一情報処理装置１の第一受信部１０４は、電力線１０００を介して５チャンネルで第二情報処理装置２から送信されるアナログ音声情報を受信する。
【００９１】
第一処理部１０５は、第一受信部１０４が受信したアナログ音声情報を変調し、増幅する処理を行う。そして、変調され増幅されたアナログ音声情報を、第一出力部１０６が、図示しないスピーカー等から音声出力する。
【００９２】
なお、この具体例においては、第二情報処理装置２がアナログの処理対象情報を送信する場合について説明したが、デジタルの処理対象情報を出力するようにしても良い。この場合、第二取得部２０５はデジタルの送信対象情報をそのまま送信対象情報格納部２０６から読み出す、あるいは読み出した送信対象情報を所望のファイル形式に変換して処理対象情報を取得し、この取得された処理対象情報を第二送信部２０７が第一情報処理装置１に送信する。そして、第一処理部１０５が、第一受信部１０４により受信したデジタルの処理対象情報を、デコードしてアナログ情報を構成し、このアナログ情報を第一出力部１０６から出力するようにしても良い。
【００９３】
ここで、上記具体例において、第一情報処理装置１が、周波数毎に、予め決められた属性を有する処理対象情報を受信するものである場合、例えば、ＭＰ３ファイルは５チャンネル、ＡＡＣファイルは６チャンネルで受信することが決まっている場合等について考える。この場合、第一制御情報送信部１０１が、第一情報処理装置１が送信する周波数と属性との組み合わせに応じて予め組み合わされた第一周波数情報と第一属性情報とを、第二情報処理装置２に送信するようにする。そして、第二情報処理装置２では、第二周波数決定部２０２と第二属性決定部２０３とが、第二制御情報格納部２００に格納されている第二周波数情報と第二属性情報との組み合わせの中から、受信した第一周波数情報と第一属性情報との組み合わせに合致する組み合わせを決定し、この決定した組み合わせの第二周波数情報と第二属性情報とが示す周波数と属性とを、送信時の周波数と、送信の対象とする処理対象情報の属性とに決定するようにしてもよい。かかることは他の実施の形態においても同様である。また、かかることは、第二情報処理装置２が、周波数毎に、予め決められた属性を有する処理対象情報を送信するものである場合においても同様である。
【００９４】
以上、本実施の形態によれば、第一情報処理装置１が電力線１０００を介して制御用周波数で、自装置が処理対象情報を受信可能な周波数を示す第一周波数情報と、自装置が処理可能な処理対象情報の属性を示す第一属性情報と、を送信するようにし、第二情報処理装置２が、この第一属性情報と第一周波数情報とに応じて、第一属性情報に応じた処理対象情報を取得し、第一周波数情報に応じた周波数で、第一情報処理装置１に送信するようにしたので、通信に用いられる情報の属性や通信を行う周波数等が予め設定されていない場合においても、情報の送受信および処理を行うことができる。
【００９５】
また、第二周波数決定部２０２を設けたことにより、第一情報処理装置１が受信可能な複数の周波数から、通信に利用する周波数を決定することが可能となり、第一情報処理装置１において通信に利用する周波数を決定するためにスキャンしたりする処理を簡略化することができる。
【００９６】
また、第二属性決定部２０３を設けたことにより、送信対象となる処理対象情報を、第二属性決定部２０３が決定した属性を用いて選択的に取得することが可能となり、第一情報処理装置１において処理できない情報の送信を防ぐことができる。また、第二情報処理装置２側で、第一情報処理装置１において処理することが適切と考えられる情報を選択的に送信することができる。
【００９７】
なお、上記実施の形態においては、第一属性情報と第二属性情報とを用いて、第二属性決定部２０３が第二取得部２０５が取得する処理対象情報の属性を決定するようにしたが、第二取得部２０５が取得する処理対象情報の属性を決定する必要がない場合等、例えば、第二取得部２０５が取得する全ての送信対象情報が、第一情報処理装置が処理可能な処理対象情報である場合等には、第二取得部２０５が取得する処理対象情報の属性を決定するための構成、例えば第二属性決定部２０３や第一属性情報や第二属性情報等は省略してもよい。かかることは他の実施の形態においても同様である。
【００９８】
（実施の形態２）
本実施の形態における電力線通信システムは、上記実施の形態にかかる電力線通信システムにおいて、第一情報処理装置が、第二情報処理装置が一以上の周波数で送信する一以上の処理対象情報のうちの、所望の周波数で送信される所望の処理対象情報を選択的に受信し出力するようにしたものである。
【００９９】
図９は、本実施の形態における電力線通信システムのブロック図である。
【０１００】
電力線通信システムは、第一情報処理装置３、第二情報処理装置４を具備する。第一情報処理装置３および第二情報処理装置４は、電力線１０００を介して通信可能に接続されている。
【０１０１】
第一情報処理装置３は、第一制御情報格納部３００、第一制御情報受信部３０１、第一周波数決定部３０２、第一属性決定部３０３、第一受信部３０４、第一処理部３０５、第一出力部３０６を具備する。
【０１０２】
第二情報処理装置４は、第二制御情報格納部４００、第二制御情報送信部４０１、出力指定受付部４０２、第二取得部４０３、送信対象情報格納部４０４、第二送信部４０５を具備する。
【０１０３】
第一制御情報格納部３００には、自装置、すなわち第一情報処理装置３が処理可能な情報である処理対象情報についての属性を示す情報である第一属性情報と、自装置が処理対象情報を受信可能な周波数を示す情報である第一周波数情報とが格納されている。なお、第一制御情報格納部３００に格納されている情報や、第一制御情報格納部３００の構成については第一制御情報格納部１００と同様であるのでここでは説明を省略する。
【０１０４】
第一制御情報受信部３０１は、電力線１０００を介して第二情報処理装置４が送信する情報である１以上の送信対象情報についての属性を示す情報である第二属性情報と、当該送信対象情報が送信される１以上周波数を示す情報である第二周波数情報とを、予め指定された所定の周波数である制御用周波数で第二情報処理装置４から受信する。なお、送信対象情報、第二属性情報および第二周波数情報等については、上述した実施の形態１と同様であるので説明は省略する。第一制御情報受信部３０１は、通常、通信手段で実現されるが、放送を受信する手段で実現されても良い。
【０１０５】
第一周波数決定部３０２は、第一制御情報受信部３０１が受信した第二周波数情報に応じて、送信対象情報を受信する周波数を判断する。例えば、第一情報処理装置３は、第一制御情報格納部３００から、第一周波数情報を読み出して、第二周波数情報が示す第二情報処理装置４が送信可能な周波数または周波数帯の中から、第一周波数情報が示す第一情報処理装置３が受信可能な周波数または周波数帯と一致する周波数を判断する。特に、第一周波数決定部３０２は、第二周波数情報が示す周波数または周波数帯の中に、第一周波数情報が示す周波数または周波数帯と一致する周波数または周波数帯が複数存在する場合、この複数の周波数または周波数帯の中から、処理対象情報を受信する一以上の周波数または周波数帯を決定するようにすることが好ましい。第一周波数情報が示す周波数または周波数帯と一致する複数の周波数または周波数帯から、第一情報処理装置３が処理対象情報を受信可能な一以上の周波数や周波数帯を決定する方法は、どのような方法であっても良い。例えば、ランダムに決定しても良いし、周波数の最も小さいものを選択するようにしても良い。第一周波数決定部３０２は、通常、ＭＰＵやメモリ等から実現され得る。第一周波数決定部３０２の処理手順は、通常、ソフトウェアで実現され、当該ソフトウェアはＲＯＭ等の記録媒体に記録されている。但し、ハードウェア（専用回路）で実現しても良い。なお、処理対象情報を受信する周波数を判断する必要がない場合、例えば、第一周波数情報が示す周波数あるいは周波数帯が一つに限られている場合等には、第一周波数決定部３０２は省略しても良い。
【０１０６】
第一属性決定部３０３は、第一制御情報受信部３０１が受信した第二属性情報に応じて、取得の対象となる送信対象情報の属性を決定する。ここでの送信対象情報の属性を決定するとは、第一情報処理装置１が処理可能な送信対象情報が対応付けられている属性を示す情報を決定することである。具体的には、受信の対象となる送信対象情報が対応付けられている第二属性情報を決定することであり、第一制御情報受信部３０１が受信した第二属性情報に応じて、どのような第二属性情報に対応付けられた送信対象情報を受信の対象とするかを決定することである。例えば、第一情報処理装置１は、上述した第一制御情報格納部３００から第一属性情報を読み出し、第一属性情報と、第一制御情報受信部３０１が受信した第二属性情報とを比較して、第二情報処理装置２が送信する処理対象情報の属性の中から、第一情報処理装置１が処理可能な処理対象情報の属性に対応する属性、具体的には一致する属性を検出する。具体的には、第二属性情報の中から、第一属性情報と一致するものを検出する。この一致の判断は部分一致であっても良い。この検出した属性、すなわち検出された第二属性情報が示す属性が、受信の対象となる処理対象情報の属性に決定される。そして、この属性を有する処理対象情報が後述する第一受信部３０４により受信される。特に、第一属性決定部３０３は、第一属性情報と一致すると判断された第二属性情報が、一の処理対象情報が同時に有し得ない複数の属性を示すものである場合、すなわち、第一情報処理装置１が属性の異なる複数の送信対象情報を受信して処理可能なものである場合、そのいずれか一方の属性を、取得対象とする送信対象情報の属性に決定することが好ましい。なお、いずれの属性を、取得の対象とする送信対象情報の属性に決定するかについては、どのように決定しても良い。例えば、ランダムに決定しても良いし、予め指定されている優先順位に応じて決定しても良い。なお、第一属性決定部３０３により、第一情報処理装置３がアナログデータを受信することを示す属性が決定された場合、第一受信部３０４は属性がアナログデータである送信対象情報を受信する。同様に、また、第一属性決定部３０３により、第一情報処理装置１がデジタルデータを受信することを示す属性が決定された場合、第一受信部３０４は属性がデジタルデータである送信対象情報を受信する。なお、第一制御情報受信部３０１が受信した第二属性情報に応じた受信の対象となる送信対象情報の属性が決定できなかった場合、例えば、第二属性情報に対応した属性が、第一属性情報が示す属性の中になかった場合、第一属性決定部３０３は第一属性情報に応じた受信の対象となる送信対象情報がないことを判断する。第一属性決定部３０３は、通常、ＭＰＵやメモリ等から実現され得る。第一属性決定部３０３の処理手順は、通常、ソフトウェアで実現され、当該ソフトウェアはＲＯＭ等の記録媒体に記録されている。但し、ハードウェア（専用回路）で実現しても良い。なお、取得の対象となる送信対象情報の属性を決定する必要がない場合、例えば、第一属性情報が、一の送信対象情報が同時に有し得ない複数の属性を示すものでない場合等には、第一属性決定部３０３は省略しても良い。
【０１０７】
第一受信部３０４は、電力線１０００を介して第二情報処理装置４から送信される送信対象情報を受信する。具体的には、第一受信部３０４は、第一制御情報受信部３０１が受信した第一属性情報に応じた送信対象情報を、第一制御情報受信部３０１が受信した第一周波数情報に応じた周波数で受信する。ここでは、特に、第一受信部３０４は、第一周波数決定部３０２が決定した周波数または周波数帯で第二情報処理装置４から送信される送信対象情報のうちの、第一属性決定部３０３が決定した属性に対応した送信対象情報を受信する。ただし、第一受信部３０４が、どのように第一制御情報受信部３０１が受信した第二属性情報に対応した送信対象情報を取得してもよく、例えば、第一属性決定部３０３の決定した結果を用いずに、第一制御情報受信部３０１が受信した第一属性情報を、そのまま検索キー等として用いて検索を行い、この第一属性情報と同じ第一属性情報と対応付けられた送信対象情報を取得してもよい。第一制御情報受信部３０１は、通常、通信手段で実現されるが、放送を受信する手段で実現されても良い。
【０１０８】
第一処理部３０５は、第一受信部３０４が受信した送信対象情報を処理する。第一処理部３０５の構成等については、上述した第一処理部１０５と同様であるので、ここでの説明は省略する。
【０１０９】
第一出力部３０６は、第一処理部３０５が処理を行った結果、例えば処理した送信対象情報を出力する。第一出力部３０６の構成等については、上述した第一出力部１０６と同様であるので、ここでの説明は省略する。
【０１１０】
第二制御情報格納部４００には、自装置、すなわち第二情報処理装置４が送信可能な上述した送信対象情報についての属性を示す情報である第二属性情報と、自装置が送信対象情報を送信可能な周波数を示す情報である第二周波数情報とが格納されている。なお、第二制御情報格納部４００に格納されている情報や、第二制御情報格納部４００の構成については第二制御情報格納部２００と同様であるのでここでは説明を省略する。
【０１１１】
第二制御情報送信部４０１は、自装置が送信する送信対象情報についての属性を示す情報である第二属性情報と、自装置が前記送信対象情報を送信する周波数を示す情報である第二周波数情報とを、上述した所定の周波数である制御用周波数で、電力線１０００を介して第一情報処理装置３に送信する。具体的には、第二制御情報送信部４０１は、第二制御情報格納部４００に格納されている第二属性情報と第二周波数情報とを読み出して、第一情報処理装置３に送信する。第二属性情報と第二周波数情報とを送信するタイミングやトリガー等は問わない。例えば、第二情報処理装置４が電力線に接続されたことや、電源が投入されたことをトリガーとして第二属性情報と第二周波数情報とを送信しても良いし、第一情報処理装置３から第二属性情報と第二周波数情報との送信を要求する信号、送信のトリガーとなる信号を受信した場合に、第二属性情報と第二周波数情報とを送信しても良い。第一情報処理装置３を送信先に指定する方法は問わない。例えば、第一情報処理装置３を送信先に指定するための情報、例えばアドレス情報等は、予めメモリ等に格納されていても良いし、第一情報処理装置３から送信された情報を利用しても良い。また、送信先を指定せずに、電力線を用いた放送によって第二属性情報と第二周波数情報とを送信しても良い。また、第二属性情報と第二周波数情報とに加えて、第二情報処理装置４の装置識別情報等を送信しても良い。第二制御情報送信部４０１は、通常、通信手段で実現されるが、放送手段で実現されても良い。なお、電力線を介して情報を送信するための通信インターフェース等の構成は公知であるので説明は省略する。
【０１１２】
出力指定受付部４０２は、第二情報処理装置４が送信する送信対象情報を指定する情報である出力指定情報を受け付ける。出力指定受付部４０２の構成は、上述した出力指定受付部２０４と同様であるので説明は省略する。
【０１１３】
第二取得部４０３は、送信対象情報を取得する。第二取得部４０３は、例えば、送信対象情報格納部４０４から送信対象情報を読み出して取得する。第二取得部４０３は、出力指定受付部４０２が出力指定情報を受け付けている場合、この受け付けた出力指定情報に対応した送信対象情報を取得する。また、出力指定情報を受け付けていない場合、予め設定されたルール、例えば、ランダム等に従って送信対象情報を出力しても良い。なお、第二取得部４０３の構成は、上述した第二取得部２０５が出力指定情報に対応した送信対象情報を取得する構成等と同様であるので、ここでは説明を省略する。
【０１１４】
送信対象情報格納部４０４には、一以上の送信対象情報が格納されている。具体的には、送信対象情報格納部４０４には、送信対象情報が、それぞれの属性を示す情報と対応付けて格納されている。送信対象情報の属性は、第二属性情報が示す属性等と同様の属性である。送信対象情報格納部２０６は、不揮発性の記録媒体でも、揮発性の記録媒体でも良い。
【０１１５】
第二送信部４０５は、第二取得部４０３が取得した送信対象情報を、電力線１０００を介して、第二周波数情報に対応した周波数で第一情報処理装置３に送信する。また、第二送信部２０７は、送信対象情報に、当該送信対象情報に対応する属性を示す情報と対応付けて送信するようにしても良い。第二送信部４０５は、通常、通信手段で実現されるが、放送手段で実現されても良い。
【０１１６】
次に、電力線通信システムの第一情報処理装置３の動作について図１０のフローチャートを用いて説明する。
【０１１７】
（ステップＳ１００１）第一制御情報受信部３０１は、制御用周波数により受信したか否かを判断する。受信した場合、ステップＳ１００２に進み、受信していない場合、ステップＳ１００１に戻る。
【０１１８】
（ステップＳ１００２）第一周波数決定部３０２は、ステップＳ１００１において受信した第二周波数情報と、自装置が処理対象情報を受信可能な周波数を示す情報である第一周波数情報とから、送信対象情報を受信する周波数を決定する。なお、周波数が決定できなかった場合、処理を終了してもよい。
【０１１９】
（ステップＳ１００３）第一周波数決定部３０２は、ステップＳ１００２において決定した周波数の情報を、図示しないメモリ等に蓄積する。
【０１２０】
（ステップＳ１００４）第一属性決定部３０３は、ステップＳ１００１において受信した第二属性情報と、自装置が処理可能な処理対象情報の第一属性情報とを比較して、受信する送信対象情報の属性を決定する。なお、属性が決定できなかった場合、処理を終了してもよい。
【０１２１】
（ステップＳ１００５）第一属性決定部３０３は、ステップＳ１００４で決定した送信対象情報の属性を示す情報を、図示しない格納部等に蓄積する。
【０１２２】
（ステップＳ１００６）第一受信部３０４は、電力線１０００を介して、ステップＳ１００３で蓄積した周波数の情報を読み出し、この情報が示す周波数で、属性を示す情報を有する送信対象情報を受信したか否かを判断する。受信した場合、ステップＳ１００７に進み、受信していない場合、ステップＳ１０１０に進む。
【０１２３】
（ステップＳ１００７）第一受信部３０４は、ステップＳ１００５で蓄積した送信対象情報の属性を示す情報を読み出し、この情報が示す属性と、第一受信部３０４が受信した送信対象情報が有する属性とを比較して、ステップＳ１００５で蓄積した送信対象情報の属性に対応した送信対象情報を受信したか否かを判断する。対応した送信対象情報を受信した場合、ステップＳ１００８に進み、受信していない場合、ステップＳ１０１０に進む。
【０１２４】
（ステップＳ１００８）第一処理部３０５は、第一受信部３０４が受信した送信対象情報に対して所定の処理を行う。なお、第一処理部１０５は、受信した送信対象情報が有する属性を示す情報を読み出して、この属性に応じた処理を行うようにしてもよい。
【０１２５】
（ステップＳ１００９）第一出力部３０６は、ステップＳ１００８において行われた処理の結果として得られた情報を出力する。
【０１２６】
（ステップＳ１０１０）第一受信部３０４は、送信対象情報の受信を終了するか否かを判断する。第一受信部１０４は、例えば、送信対象情報の送信終了を示す情報を受信したことによって、受信の終了を判断しても良いし、所定の時間、送信対象情報を受信しなかった場合に受信の終了を判断しても良い。また、図示しない受付部により、ユーザからの出力を終了する指示を受け付けた場合に受信の終了を判断しても良い。受信を終了する場合、処理を終了し、受信を終了しない場合、ステップＳ１００６に戻る。
【０１２７】
なお、図１０のフローチャートにおいて、電源オフや処理終了の割り込みにより処理は終了する。
【０１２８】
次に、電力線通信システムの第二情報処理装置４の動作について図１１のフローチャートを用いて説明する。
【０１２９】
（ステップＳ１１０１）第二制御情報送信部４０１は、第二属性情報と第二周波数情報とを送信するタイミングであるか否かを判断する。例えば、第二制御情報送信部４０１は、第二情報処理装置４が電力線１０００に接続された場合に、第二属性情報と第二周波数情報とを送信するタイミングであると判断する。タイミングであると判断した場合、ステップＳ１１０２に進み、タイミングでないと判断した場合、ステップＳ１１０１に戻る。
【０１３０】
（ステップＳ１１０２）第二制御情報送信部４０１は、第二制御情報格納部２００から第二属性情報と第二周波数情報とを読み出す。
【０１３１】
（ステップＳ１１０３）第二制御情報送信部４０１は、ステップＳ１１０２において読み出した第二属性情報と第二周波数情報とを第一情報処理装置３に、電力線１０００を介して、制御用周波数で送信する。
【０１３２】
（ステップＳ１１０４）出力指定受付部４０２は、出力指定情報を受け付けたか否かを判断する。受け付けた場合、ステップＳ１１０５に進み、受け付けていない場合、ステップＳ１１０４に戻る。
【０１３３】
（ステップＳ１１０５）第二取得部４０３は、ステップＳ１１０４において受け付けた出力指定情報に対応した送信対象情報を、送信対象情報格納部４０４から取得、例えば読み出す。
【０１３４】
（ステップＳ１１０６）第二送信部４０５は、ステップＳ４０３において取得した送信対象情報を、第一情報処理装置３に送信する。具体的には、第二送信部４０５は、送信対象情報が有する属性を示す情報とともに第一情報処理装置３に送信する。
【０１３５】
（ステップＳ１１０７）第二送信部４０５は、送信処理を終了するか否かを判断する。例えば、第二送信部４０５は、送信する送信対象情報がなくなった場合やユーザから処理を終了する指示を受け付けた場合に処理を終了すると判断する。終了すると判断した場合、処理を終了し、終了しないと判断した場合、ステップＳ１１０５に戻る。
【０１３６】
なお、図１１のフローチャートにおいて、電源オフや処理終了の割り込みにより処理は終了する。
【０１３７】
以下、本実施の形態における電力線通信システムの具体的な動作について説明する。
電力線通信システムの具体例を示す図は、図５において、第一情報処理装置１を第一情報処理装置３に、第二情報処理装置２を第二情報処理装置４に置き換えたものである。ここでは、図五と同様に、例として、電力線１０００が宅内の電力線、第一情報処理装置３が、アンプを内蔵したスピーカーシステム、第二情報処理装置４が、ハードディスクに蓄積されている音声データと動画像データとを出力するデジタルオーディオ・ビデオプレーヤであるとする。
【０１３８】
第一情報処理装置３は、ファイル形式が「ＭＰ３」や「ＡＡＣ」等の音声情報とを再生可能なスピーカーシステムであり、３チャンネルから８チャンネルで送信対象情報が受信可能であるとする。
【０１３９】
図１２は、第一制御情報格納部１００に格納されている第一周波数情報と第一属性情報とを管理するための第一制御情報管理表である。第一制御情報管理表は、第一情報処理装置１が受信可能な周波数である「第一周波数情報」と、第一情報処理装置１が処理可能な第一属性情報である「第一属性情報」とを管理している。ここでは、第一情報処理装置１がファイル形式が「ＭＰ３」の音声情報や、ファイル形式が「ＡＡＣ」の音声情報等を受信して出力できるものであるため、「第一属性情報」には、「ＭＰ３」や「ＡＡＣ」等の第一属性情報が格納されている。また、「第一周波数情報」には受信可能なチャンネルを示す「３チャンネル」から「８チャンネル」という情報が格納されている。
【０１４０】
また、第二情報処理装置４の送信対象情報格納部４０４には、処理対象情報として、デジタルデータである音声情報と動画像情報とが格納されているものとする。この送信対象情報は、上述した図８と同様であるとする。また、第二情報処理装置４は、５チャンネルおよび６チャンネルで、音声情報を送信可能であるとする。
【０１４１】
図１３は、第二情報処理装置４の第二制御情報格納部４００に格納されている、第二情報処理装置４が送信可能な送信対象情報の属性を示す第二属性情報と、第二情報処理装置４が送信可能な周波数を示す情報である第二周波数情報とを管理するための第二制御情報管理表である。第二制御情報管理表は、第二情報処理装置４が送信可能な周波数を示す情報である「第二周波数情報」と、第二情報処理装置４が送信可能な送信対象情報の属性を示す情報である「第二属性情報」とを管理している。
【０１４２】
また、第一情報処理装置１と第二情報処理装置２との間で行われる、第一属性情報や第一周波数情報等の送受信に用いられる制御用周波数としては、０チャンネルが用いられることが予め決まっているものとする。
【０１４３】
まず、電力線１０００に第二情報処理装置４が接続されている状態で、第一情報処理装置３を電力線１０００に接続すると、電力線１０００を用いたネットワークに接続されたことを示すため、第一情報処理装置３の第一制御情報送信部１０１等が、自機器のネットワーク上のアドレス情報等をネットワーク上の装置にブロードキャストする。
【０１４４】
第二情報処理装置４は、第一情報処理装置３から図示しない受信部等を用いてアドレス情報等を受け取る。
【０１４５】
第二制御情報送信部４０１は、アドレス情報を受信したことをトリガーとして、第二制御情報格納部２００に格納されている第二周波数情報と第二属性情報とを読み出し、読み出した情報を、受信したアドレス情報を用いて、制御用周波数である０チャンネルで第一情報処理装置３に送信する。このとき、第二情報処理装置４を識別する情報等も送信する。
【０１４６】
第一情報処理装置３の第一制御情報受信部３０１は、第二情報処理装置４から送信される第二周波数情報と第二属性情報とを受信する。
【０１４７】
第一制御情報受信部３０１が第二周波数情報と第二属性情報とを受信すると、第一周波数決定部３０２は、第一制御情報受信部３０１が受信した図１３の第二制御情報管理表が示す第二周波数情報と、図１２に示した第一制御情報管理表の「第一周波数情報」の属性値とを比較する。そして、一致する周波数、ここではチャンネルを決定する。ここでは、５チャンネルと６チャンネルとが一致するチャンネルと決定される。さらに、ここでは、さらに予め設定されたルールに従って、最も中心周波数の小さいチャンネルである５チャンネルを、送信対象情報を受信する周波数に決定し、図示しないメモリ等の格納部に、第二情報処理装置４と対応付けて、具体的には第二周波数情報とともに送信された第二情報処理装置４の識別情報と対応付けて蓄積する。この第一周波数情報が、第一受信部３０４が送信対象情報を受信する周波数を示す情報である。
【０１４８】
つぎに、第一属性決定部３０３は、第一制御情報受信部３０１が受信した図１３の第二制御情報管理表が示す第二属性情報と、図１２に示した第一制御情報管理表の「第一属性情報」に含まれる第一属性情報とを比較する。そして、一致する第一属性情報が示す属性を決定する。ここでは、「ＭＰ３」と「ＡＡＣ」とが一致する属性に決定される。さらにここでは、この決定した属性のうちの一つを予め設定されたルールに従って選択する。例えば、予めＡＡＣよりもＭＰ３を優先する、というルールが定められている場合、「ＭＰ３」を選択する。そして、この「ＭＰ３」という属性を示す第一属性情報を、図示しないメモリ等の格納部に、第二情報処理装置４と対応付けて、具体的には第二属性情報とともに送信された第二情報処理装置４の識別情報と対応付けて蓄積する。この第一属性情報が、第一受信部３０４が受信の対象とする送信対象情報の属性を判断する際に利用する情報である。
【０１４９】
次に、第二情報処理装置４の出力指定受付部４０２が、送信対象情報の指定を受け付けたとする。ここでは、例えば、音声情報である送信対象情報のジャンルである「クラシック」を選択ボタン等を介して受け付けたとする。出力指定受付部４０２は、この送信対象情報のジャンルを示す文字列の出力指定情報「クラシック」を構成し、第二取得部４０３に出力する。
【０１５０】
第二取得部４０３は、図８に示したような送信対象情報管理表から「ジャンル」の属性値が、出力指定受付部４０２が受け付けた出力指定情報である「クラッシック」に一致するレコードを検索し、検索されたレコードの「データ」の属性値である送信対象情報を取得する。
【０１５１】
ここでは、「ジャンル」が「クラシック」である、「ＩＤ」が「０００２」であるレコードと「ＩＤ」が「０００３」であるレコードが検索される。そして、「ＩＤ」が「０００２」であるレコードに対応した「ＭＰ３」形式の音声情報と、「ＩＤ」が「０００３」であるレコードに対応した「ＡＡＣ」形式の音声情報とが処理対処情報格納部４０４から読み出される。そして読み出された音声情報が、第二送信部４０５から、第二情報処理装置４の識別情報とともに、図１３に示した「第二周波数情報」が示す全ての周波数、ここでは５チャンネルと６チャンネルとで、第一情報処理装置３に送信される。また、ここでは、音声情報の第二属性情報もそれぞれの音声情報とともに送信する。
【０１５２】
第一情報処理装置３の第一受信部３０４は、電力線１０００を介して第一周波数決定部３０２が決定した５チャンネルおよび６チャンネルで第二情報処理装置２から送信される音声情報のうちの、第一属性決定部３０３が決定した属性を有する音声情報を受信する。ここでは、第二情報処理装置２から送信される音声情報の属性は、これらの音声情報と共に送信される属性情報を用いて判断される。具体的には、第一属性決定部３０３が決定した第一属性情報と一致する第二属性情報を有する音声情報だけを、選択的に受信する。ここでは、ファイル形式が「ＭＰ３」である音声情報だけを受信する。
【０１５３】
第一処理部３０５は、第一受信部３０４が受信した「ＭＰ３」の音声情報をデコードし、増幅する処理を行う。そして、デコードされ増幅された音声情報を、第一出力部３０６が、図示しないスピーカー等から音声出力する。
【０１５４】
なお、この具体例においては、第二情報処理装置２がデジタルの送信対象情報を出力する場合について説明したが、上記実施の形態１の具体例のように、アナログの送信対象情報を出力するようにしても良い。
【０１５５】
なお、上記具体例においては、第一受信部３０４が、受信時に送信対象情報の属性を判断して、送信対象情報を受信するか否かを判断するようにしたが、第一受信部３０４により判断を行う代わりに、第一受信部３０４が第一周波数決定部３０２が決定した周波数で受信した全ての送信対象情報について、第一処理部が属性を用いて処理を行うか否かを判断してもよい。また、属性の異なる複数の送信対象情報を受信して第一処理部が処理可能な情報を全て処理するようにしても良い。この場合、第一属性決定部は不要である。
【０１５６】
ここで、第二情報処理装置４が、周波数毎に、予め決められた属性を有する送信対象情報を送信するものである場合、例えば、ＭＰ３ファイルは５チャンネル、ＡＡＣファイルは６チャンネルで送信することが決まっている場合等について考える。この場合、第二制御情報送信部４０１が、第二情報処理装置４が送信する周波数と属性との組み合わせに応じて予め組み合わされた第二周波数情報と第二属性情報とを、第一情報処理装置３に送信するようにする。そして、第一情報処理装置３では、第一周波数決定部３０２と第一属性決定部３０３とが、第一周波数情報と第一属性情報との組み合わせの中から、受信した第二周波数情報と第二属性情報との組み合わせに合致する組み合わせを決定し、この決定した組み合わせの第一周波数情報と第一属性情報とが示す周波数と属性とを、受信時の周波数と、受信の対象とする送信対象情報の属性とに決定するようにしてもよい。かかることは他の実施の形態においても同様である。また、かかることは、第一情報処理装置３が、周波数毎に、予め決められた属性を有する送信対象情報を受信するものである場合においても同様である。
【０１５７】
以上、本実施の形態によれば、第二情報処理装置４が電力線１０００を介して制御用周波数で、自装置が送信可能な送信対象情報の属性を示す第二属性情報と、自装置が送信可能な周波数を示す第二周波数情報とを送信するようにし、第一情報処理装置３が、この第二属性情報と第二周波数情報とに応じて、第一属性情報に対応した送信対象情報を、第一周波数情報に対応した周波数で受信するようにしたので、通信に用いられる情報の属性や通信を行う周波数等が予め設定されていない場合においても、情報の送受信および処理を行うことができる。
【０１５８】
なお、上記実施の形態においては、第一属性情報と第二属性情報とを用いて、第一属性決定部３０３が第一受信部３０４が受信する送信対象情報の属性を決定するようにしたが、第一受信部３０４が受信する送信対象情報の属性を決定する必要がない場合、例えば、第二取得部２０５が送信する全ての送信対象情報が、第一情報処理装置が処理可能な処理対象情報である場合等には、第一受信部３０４が受信する送信対象情報の属性を決定するための構成、例えば第一属性決定部３０３や第一属性情報や第二属性情報等は省略してもよい。かかることは他の実施の形態においても同様である。
【０１５９】
（実施の形態３）
本実施の形態における電力線通信システムは、上記実施の形態にかかる電力線通信システムにおいて、サーバが、第一情報処理装置に処理対象情報を送信する周波数と、送信対象となる処理対象情報の属性とを決定し、第一情報処理装置に対して、サーバが決定した周波数で、サーバが決定した属性に対応した処理対象情報を、第二情報処理装置に送信させるようにしたものである。
【０１６０】
図１４は、本実施の形態における電力線通信システムのブロック図である。
【０１６１】
電力線通信システムは、第一情報処理装置１、第二情報処理装置５、サーバ６を具備する。第一情報処理装置１、第二情報処理装置５およびサーバ６は、電力線１０００を介して通信可能に接続されている。
【０１６２】
第一情報処理装置１の構成については、第一制御情報送信部１０１が、第一周波数情報と第一属性情報とをサーバ６に送信する点を除けば、上記実施の形態１と同様であるので、説明は省略する。
【０１６３】
第二情報処理装置５は、第二制御情報格納部４００、第二制御情報送信部４０１、出力指定受付部４０２、第二取得部２０５、送信対象情報格納部２０６、第二送信部２０７、および第二送信指示受信部５０１を具備する。
【０１６４】
第二制御情報格納部４００、および第二制御情報送信部４０１の構成については、上記実施の形態２と同様であるので説明は省略する。ただし、ここでは、第二制御情報送信部４０１は、第二周波数情報と第二属性情報とをサーバ６に送信する。
【０１６５】
第二取得部２０５、送信対象情報格納部２０６、および第二送信部２０７の構成については、上記実施の形態１と同様であるので説明は省略する。
【０１６６】
ただし、ここでは、第二取得部２０５は、第二送信指示受信部５０１が受信した送信指示に応じた処理対象情報を取得する。さらに、第二送信部２０７は、第二送信指示受信部５０１が受信した送信指示に応じた周波数で処理対象情報を送信する。
【０１６７】
第二送信指示受信部５０１は、サーバ６から、所定の周波数である制御用周波数で送信される送信指示を受信する。送信指示については、後述する。第二送信指示受信部５０１は、通常、通信手段で実現されるが、放送を受信する手段で実現されても良い。
【０１６８】
サーバ６は、第一サーバ制御情報受信部６０１、第二サーバ制御情報受信部６０２、周波数決定部６０３、属性決定部６０４、送信指示送信部６０５とを具備する。
【０１６９】
第一サーバ制御情報受信部６０１は、第一情報処理装置１が、所定の周波数である制御用周波数で送信する第一属性情報と第一周波数情報とを受信する。第一サーバ制御情報受信部６０１の構成は、図２において説明した第二制御情報受信部２０１と同様であるので、詳細な説明は省略する。
【０１７０】
第二サーバ制御情報受信部６０２は、第２情報処理装置５が、所定の周波数である制御用周波数で送信する第二属性情報と第二周波数情報とを受信する。第二サーバ制御情報受信部６０２の構成は、図９において説明した第一制御情報受信部３０１と同様であるので、詳細な説明は省略する。
【０１７１】
周波数決定部６０３は、第一サーバ制御情報受信部６０１が受信した第一周波数情報と第二サーバ制御情報受信部６０２が受信した第二周波数情報とに応じて処理対象情報を送信する周波数を決定する。周波数決定部６０３の構成については、図２において説明した第二周波数決定部２０２等と同様であるので詳細な説明は省略する。
【０１７２】
属性決定部６０４は、第一サーバ制御情報受信部６０１が受信した第一属性情報と第二サーバ制御情報受信部６０２が受信した第二属性情報とに応じて第一情報処理装置１が処理対象とする処理対象情報の属性を決定する。属性決定部６０４の構成については、図２において説明した第二属性決定部２０３等と同様であるので詳細な説明は省略する。
【０１７３】
送信指示送信部６０５は、属性決定部６０４が決定した属性に応じた処理対象情報を、周波数決定部６０３が決定した周波数で、第一情報処理装置１に送信する指示である送信指示を、所定の周波数である制御用周波数で、第二情報処理装置５に送信する。送信指示とは、具体的には、周波数決定部６０３が決定した、第一情報処理装置１が処理対象情報を受信可能な周波数を示す情報と、属性決定部６０４が決定した、第一情報処理装置１が処理可能な処理対象情報が対応付けられている属性を示す情報とを含む指示であり、上述した第二周波数決定部２０２が決定した周波数を示す情報や、第二属性決定部２０３が決定した属性を示す情報と同様の情報を含む指示である。上述した第二取得部２０５は、例えば、この送信指示に含まれる、第一情報処理装置１が処理可能な処理対象情報が対応付けられている属性を示す情報に応じた送信対象情報である処理対象情報を取得する。また、上述した第二送信部２０７は、例えば、この送信指示に含まれる、第一情報処理装置１が処理対象情報を受信可能な周波数を示す情報に応じた周波数で処理対象情報を第一情報処理装置１に送信する。送信指示送信部６０５は、通常、通信手段で実現されるが、放送を送信する手段で実現されても良い。
【０１７４】
次に、電力線通信システムの動作について説明する。ただし、第一情報処理装置１の動作については、図３において説明した動作と同様であるので説明は省略する。
【０１７５】
次に、第二情報処理装置５の動作について、図１５のフローチャートを用いて説明する。なお、図１５において、図４および図１１と同一符号は同一又は相当する部分を示している。
【０１７６】
（ステップＳ１５０１）第二送信指示受信部５０１は、サーバ６から送信される送信指示を受信したか否かを判断する。受信した場合、ステップＳ４０６に進み、受信していない場合、ステップＳ１５０１に戻る。
【０１７７】
なお、ステップＳ４０８においては、第二取得部２０５は、ステップＳ１５０１において受信した送信指示に応じた処理対象情報、具体的には、送信指示に含まれる属性を示す情報に一致する属性を有する送信対象情報である処理対象情報を取得する。
【０１７８】
また、ステップＳ４０９においては、第二送信部２０７は、ステップＳ１５０１において受信した送信指示に応じた周波数、具体的には、送信指示に含まれる周波数を示す情報に一致する周波数で、第二取得部２０５が取得した処理対象情報を第一情報処理装置１に送信する。
【０１７９】
なお、図１５のフローチャートにおいて、電源オフや処理終了の割り込みにより処理は終了する。
【０１８０】
次にサーバ６の動作について、図１６のフローチャートを用いて説明する。
【０１８１】
（ステップＳ１６０１）第一サーバ制御情報受信部６０１は、第一情報処理装置１から第一属性情報と第一周波数情報とを、制御用周波数により受信したか否かを判断する。受信した場合、メモリ等に一時記憶し、ステップＳ１６０２に進み、受信していない場合、ステップＳ１６０１に戻る。
【０１８２】
（ステップＳ１６０２）第二サーバ制御情報受信部６０２は、第二情報処理装置５から第二属性情報と第二周波数情報とを、制御用周波数により受信したか否かを判断する。受信した場合、メモリ等に一時記憶し、ステップＳ１６０３に進み、受信していない場合、ステップＳ１６０２に戻る。
【０１８３】
（ステップＳ１６０３）周波数決定部６０３は、ステップＳ１６０１において受信した第一周波数情報と、ステップＳ１６０２で受信した第二周波数情報とを比較して、第二情報処理装置５が処理対象情報を送信する周波数を決定する。
【０１８４】
（ステップＳ１６０４）属性決定部６０４は、ステップＳ１６０１において受信した第一属性情報と、ステップＳ１６０２で受信した第二属性情報とを比較して、第二情報処理装置５が送信する処理対象情報の属性を決定する。
【０１８５】
（ステップＳ１６０５）送信指示送信部６０５は、ステップＳ１６０３のおいて決定した周波数で、ステップＳ１６０４において決定した属性に対応した処理対象情報を、第一情報処理装置１に送信する指示である送信指示を構成し、第二属性情報と第二周波数情報との送信元である第二情報処理装置５に送信する。そして、処理を終了する。
【０１８６】
なお、図１６のフローチャートにおいて、電源オフや処理終了の割り込みにより処理は終了する。
【０１８７】
以下、本実施の形態における電力線通信システムの具体的な動作について説明する。この電力線通信システムの具体例を示す図は図１７である。ここでは、例として、電力線１０００が宅内の電力線、第一情報処理装置１が、アンプを内蔵したスピーカーシステム、第二情報処理装置５が、ハードディスクに蓄積されている音声データと動画像データとを出力するデジタルオーディオ・ビデオプレーヤ、サーバ６は、いわゆるホームサーバであるとする。また、この第二情報処理装置５は、音声データ、静止画像データおよび動画像データを、デジタルデータまたはアナログデータのいずれのデータ形式でも送信できるものであるとする。そして、第一情報処理装置１、第二情報処理装置５、およびサーバ６が電力線１０００に接続されているものとする。第一情報処理装置１と第二情報処理装置５が処理可能な情報や、通信可能なチャンネルや制御用周波数等については、上述した実施の形態１の具体例の第一情報処理装置１と第二情報処理装置２と同様であるとする。
【０１８８】
まず、電力線１０００にサーバ６だけが接続された状態で、第一情報処理装置１を電力線１０００に接続すると、第一情報処理装置１の第一制御情報送信部１０１は、図６に示した第一制御情報管理表の属性値である第一周波数情報と第一属性情報とを読み出して、制御用周波数である０チャンネルで、電力線１０００を用いてサーバ６に送信する。
【０１８９】
次に、電力線１０００に第二情報処理装置５を接続すると、第二情報処理装置５の第二制御情報送信部４０１は、図７に示した第二周波数情報と第二属性情報とを読み出して、電力線１０００を用いて、０チャンネルでサーバ６に送信する。
【０１９０】
サーバ６の第一サーバ制御情報受信部６０１は、第一情報処理装置１から０チャンネルで送信される第一周波数情報と第一属性情報とを受信する。
【０１９１】
また、サーバ６の第二サーバ制御情報受信部６０２は、第二情報処理装置２から０チャンネルで送信される第二周波数情報と第二属性情報とを受信する。
【０１９２】
周波数決定部６０３は、上述した第二周波数決定部２０２と同様に、第一サーバ制御情報受信部６０１および第二サーバ制御情報受信部６０２が受信した、図６の第一制御情報管理表が示す第一周波数情報と、図７に示した第二制御情報管理表が示す第二周波数情報とを比較する。そして、一致する周波数情報が示す周波数、ここではチャンネルを決定する。ここでは、「５チャンネル」が決定される。
【０１９３】
また、属性決定部６０４は、上述した第二属性決定部２０３と同様に、第一サーバ制御情報受信部６０１および第二サーバ制御情報受信部６０２が受信した、図６の第一制御情報管理表が示す第一属性情報と、図７に示した第二制御情報管理表が示す第二属性情報とを比較する。そして、一致する第二属性情報（または第一属性情報）が示す属性を、送信対象となる処理対象情報の属性に決定する。ここでは「アナログ音声」という属性が送信対象となる処理対象情報の属性に決定される。
【０１９４】
そして、送信指示送信部６０５は、周波数決定部６０３が決定した「５チャンネル」という周波数で、属性決定部６０４が決定した「アナログ音声」という属性に対応した処理対象情報を、第一情報処理装置１に送信する指示である送信指示を、第二情報処理装置５に、０チャンネルで送信する。
【０１９５】
第二情報処理装置５の第二送信指示受信部５０１がこの送信指示を受信すると、この送信指示が示す属性である「アナログ音声」に応じた処理対象情報を取得し、取得した処理対象情報を、この送信指示が示す周波数である「５チャンネル」で第一情報処理装置１に送信する。なお、第二情報処理装置５が、属性や周波数を示す情報に応じて、処理対象情報を取得し送信する処理や、第一情報処理装置１が、処理対象情報を受信し出力する処理については、上記各具体例と同様であるので説明は省略する。
【０１９６】
以上、本実施の形態によれば、第一情報処理装置１が電力線１０００を介して制御用周波数で、自装置が処理対象情報を受信可能な周波数を示す第一周波数情報と、自装置が処理可能な処理対象情報の属性を示す第一属性情報と、をサーバ６に送信するようにし、第二情報処理装置５が、自装置が送信可能な送信対象情報の属性を示す第二属性情報と、自装置が送信可能な周波数を示す第二周波数情報とを、サーバ６に送信するようにし、サーバ６が、第一周波数情報と第二周波数情報とから、処理対象情報を送信する周波数を決定し、第一属性情報と第二属性情報とから、処理対象となる処理対象情報の属性を決定し、第二情報処理装置５に、この決定した結果が示す属性に応じた処理対象情報を、この決定した結果が示す周波数で送信させるようにしたことにより、通信に用いられる情報の属性や通信を行う周波数等が予め設定されていない場合においても、情報の送受信および処理を行うことができる。
【０１９７】
また、処理対象情報を送信する周波数を決定する処理および送信対象となる処理対象情報の属性を決定する処理を、サーバで集中的に処理することにより、第二情報処理装置５の構成を簡略化することができる。
【０１９８】
なお、上記実施の形態においては、第一属性情報と第二属性情報とを用いて、属性決定部６０４が第二取得部２０５が取得する処理対象情報の属性を決定するようにしたが、第二取得部２０５が取得する処理対象情報の属性を決定する必要がない場合、例えば、第二取得部２０５が取得する全ての送信対象情報が、第一情報処理装置が処理可能な処理対象情報である場合等には、第二取得部２０５が取得する処理対象情報の属性を決定するための構成、例えば属性決定部６０４や、属性決定部６０４が決定した属性を有する処理対象情報を送信させるための送信指示の送信や、第一属性情報や第二属性情報、等は省略してもよい。かかることは他の実施の形態においても同様である。
【０１９９】
（実施の形態４）
本実施の形態における電力線通信システムは、上記実施の形態３にかかる電力線通信システムにおいて、第一情報処理装置に対して、サーバが決定した周波数で、サーバが決定した属性に対応した処理対象情報を、第二情報処理装置に送信させるかわりに、第二情報処理装置が電力線を介して、送信可能な周波数で送信する送信対象情報のうちの、サーバが決定した周波数で送信される、サーバが決定した属性に対応した送信対象情報を、第一情報処理装置に電力線を介して受信させるようにしたものである。
【０２００】
図１８は、本実施の形態における電力線通信システムのブロック図である。
【０２０１】
電力線通信システムは、第一情報処理装置７、第二情報処理装置４、サーバ８を具備する。第一情報処理装置７、第二情報処理装置４およびサーバ８は、電力線１０００を介して通信可能に接続されている。
第一情報処理装置７は、第一制御情報格納部１００、第一制御情報送信部１０１、第一受信部３０４、第一処理部３０５、第一出力部３０６、および第一受信指示受信部７０１を具備する。
【０２０２】
第一制御情報格納部１００、第一制御情報送信部１０１の構成については、上記実施の形態１と同様であるので、説明は省略する。ただし、ここでは、第一制御情報送信部１０１は、第一属性情報と第一周波数情報とをサーバ８に制御用周波数で送信する。
【０２０３】
第一受信部３０４、第一処理部３０５、および第一出力部３０６の構成については、上記実施の形態２と同様であるので説明は省略する。ただし、ここでは、第一受信部３０４は、第一受信指示受信部７０１の受信した受信指示に応じた周波数で、この受信指示に応じた属性の送信対象情報を受信する。
【０２０４】
第一受信指示受信部７０１は、サーバ８から送信される受信指示を受信する。受信指示については後述する。第一受信指示受信部７０１は、通常、通信手段で実現されるが、放送を受信する手段で実現されても良い。
【０２０５】
第二情報処理装置４の構成については、第一制御情報送信部３０１が、第一周波数情報と第一属性情報とをサーバ８に送信する点を除けば、上記実施の形態２と同様であるので、説明は省略する。
【０２０６】
サーバ８は、第一サーバ制御情報受信部６０１、第二サーバ制御情報受信部６０２、周波数決定部６０３、属性決定部６０４、受信指示送信部８０１とを具備する。
【０２０７】
第一サーバ制御情報受信部６０１、第二サーバ制御情報受信部６０２、周波数決定部６０３、属性決定部６０４の構成については、実施の形態３と同様であるので説明は省略する。ただし、第一サーバ制御情報受信部６０１は、第一情報処理装置７から、第一属性情報および第一周波数情報を受信する。また、第二サーバ制御情報受信部６０２は、第二情報処理装置４から、第二属性情報および第二周波数情報を受信する。また、周波数決定部６０３は、第一サーバ制御情報受信部６０１が受信した第一周波数情報と第二サーバ制御情報受信部６０２が受信した第二周波数情報とに応じて処理対象情報を受信する周波数を決定するものとする。
【０２０８】
受信指示送信部８０１は、第二情報処理装置４が送信する送信対象情報のうちの、属性決定部６０４が決定した属性に応じた送信対象情報を、周波数決定部６０３が決定した周波数で受信する指示である受信指示を、所定の周波数である制御用周波数で、第一情報処理装置７に送信する。受信指示とは、具体的には、周波数決定部６０３が決定した、第一情報処理装置７が処理対象情報を受信可能な周波数を示す情報と、属性決定部６０４が決定した、第一情報処理装置１が処理可能な処理対象情報が対応付けられている属性を示す情報とを含む指示であり、上述した第一周波数決定部３０２が決定した周波数を示す情報や、第一属性決定部３０３が決定した属性を示す情報をと同様の情報を含む指示である。上述した第一受信部３０４は、例えば、この受信指示に含まれる、第一情報処理装置７が受信可能な周波数を示す情報に応じた周波数で、第一情報処理装置７が処理可能な処理対象情報が対応付けられている属性を示す情報に応じた送信対象情報を受信する。受信指示送信部８０１は、通常、通信手段で実現されるが、放送を送信する手段で実現されても良い。
【０２０９】
次に、電力線通信システムの動作について説明する。ただし、第二情報処理装置４の動作については、図１１において説明した動作と同様であるので説明は省略する。
【０２１０】
次に、第一情報処理装置７の動作について、図１９のフローチャートを用いて説明する。なお、図１９において、図３および図１０と同一符号は同一又は相当する部分を示している。
【０２１１】
（ステップＳ１９０１）第一受信指示受信部７０１は、サーバ８から送信される受信指示を受信したか否かを判断する。受信した場合、ステップＳ１００６に進み、受信していない場合、ステップＳ１９０１に戻る。
【０２１２】
なお、ステップＳ１００６においては、第一受信部３０４は、ステップＳ１９０１において受信した受信指示に応じた周波数、具体的には、送信指示に含まれる周波数を示す情報に一致する周波数で送信対象情報を受信する。
【０２１３】
また、ステップＳ１００７においては、第一受信部３０４は、受信した送信対象情報が、ステップＳ１９０１において受信した受信指示に応じた送信対象情報、具体的には、受信指示に含まれる処理対象情報の属性を示す情報に一致する属性を有する送信対象情報であるか否かの判断を行う。
【０２１４】
なお、図１９のフローチャートにおいて、電源オフや処理終了の割り込みにより処理は終了する。
【０２１５】
次にサーバ８の動作について、図２０のフローチャートを用いて説明する。なお、図において、図１６と同一ステップは、同一又は相当する処理を示す。
【０２１６】
（ステップＳ２００１）受信指示送信部８０１は、第二情報処理装置２が送信する送信対象情報のうちの、ステップＳ１６０４において属性決定部６０４が決定した属性に応じた送信対象情報を、ステップＳ１６０３において周波数決定部が決定した周波数で受信する指示である受信指示を構成し、制御用周波数で、第一属性情報と第一周波数情報との送信元である第一情報処理装置７に送信する。そして、ステップＳ１６０１に戻る。
【０２１７】
なお、図１６のフローチャートにおいて、電源オフや処理終了の割り込みにより処理は終了する。
【０２１８】
以下、本実施の形態における電力線通信システムの具体的な動作について説明する。この電力線通信システムは図１７に示したシステムにおいて、第一情報処理装置を第一情報処理装置７、第二情報処理装置を第二情報処理装置４に、サーバをサーバ８に置き換えたものである。
【０２１９】
サーバ８が接続された電力線１０００に、第一情報処理装置７を接続すると、上記実施の形態３の具体例と同様に、サーバ８は、第一情報処理装置７から０チャンネルで送信される第一周波数情報と第一属性情報とを受信する。
【０２２０】
また、第二情報処理装置４を接続すると、同様に、サーバ６の第二サーバ制御情報受信部６０２は、第二情報処理装置４から０チャンネルで送信される第二周波数情報と第二属性情報とを受信する。
【０２２１】
周波数決定部６０３は、実施の形態２において説明した第一周波数決定部３０２と同様に、第一サーバ制御情報受信部６０１および第二サーバ制御情報受信部６０２が受信した第一周波数情報と、第二周波数情報とを比較し、一致する周波数情報が示す周波数、ここではチャンネルを決定する。
【０２２２】
また、属性決定部６０４は、実施の形態２において説明した第一属性決定部３０３と同様に、第一サーバ制御情報受信部６０１および第二サーバ制御情報受信部６０２が受信した第一属性情報と、第二属性情報とを比較し、一致する第二属性情報（または第一属性情報）が示す属性を、受信の対象となる送信対象情報の属性に決定する。
【０２２３】
そして、受信指示送信部８０１は、周波数決定部６０３が決定した周波数で、属性決定部６０４が決定した属性に対応した送信対象情報を受信する指示である受信指示を、第一情報処理装置７に、０チャンネルで送信する。
【０２２４】
第二情報処理装置４が出力指示情報等に応じて処理対象情報を出力する。この処理は、上記実施の形態の具体例と同様である。
【０２２５】
第一情報処理装置７の第一受信指示受信部７０１は、サーバ８から０チャンネルで送信された受信指示を受信すると、第一受信部３０４は、この受信指示が示す周波数で電力線１０００を介して送信される、この受信指示が示す属性を有する送信対象情報を受信する。そして、受信した送信対象情報を処理し、出力する。
【０２２６】
以上、本実施の形態によれば、第一情報処理装置７が電力線１０００を介して制御用周波数で、自装置が処理対象情報を受信可能な周波数を示す第一周波数情報と、自装置が処理可能な処理対象情報の属性を示す第一属性情報と、をサーバ８に送信するようにし、第二情報処理装置４が、自装置が送信可能な送信対象情報の属性を示す第二属性情報と、自装置が送信可能な周波数を示す第二周波数情報とを、サーバ８に送信するようにし、サーバ８が、第一周波数情報と第二周波数情報とから、処理対象情報を受信する周波数を決定し、第一属性情報と第二属性情報とから、処理対象となる処理対象情報の属性を決定し、第一情報処理装置７に、この決定した結果が示す属性に応じた送信対象情報を、この決定した結果が示す周波数で受信させるようにしたことにより、通信に用いられる情報の属性や通信を行う周波数等が予め設定されていない場合においても、情報の送受信および処理を行うことができる。
【０２２７】
また、送信対象情報を受信する周波数を決定する処理および受信対象となる送信対象情報の属性を決定する処理を、サーバで集中的に処理することにより、第一情報処理装置７の構成を簡略化することができる。
【０２２８】
なお、上記実施の形態においては、第一属性情報と第二属性情報とを用いて、属性決定部６０４が第一受信部３０４が受信する送信対象情報の属性を決定するようにしたが、第一受信部３０４が受信する送信対象情報の属性を決定する必要がない場合、例えば、第二情報処理装置が送信する全ての送信対象情報が、第一情報処理装置が処理可能な処理対象情報である場合等には、第一受信部３０４が受信する送信対象情報の属性を決定するための構成、例えば属性決定部６０４や、属性決定部６０４が決定した属性を有する処理対象情報を受信させるための受信指示の送信や、第一属性情報や第二属性情報、等は省略してもよい。かかることは他の実施の形態においても同様である。
【０２２９】
（実施の形態５）
図２１は、本実施の形態にかかる電力線通信システムの構成を説明するための概念図である。本実施の形態にかかる電力線通信システムは、上述した実施の形態１において、第一情報処理装置１を可視光通信が可能な照明装置とし、第二情報処理装置２を照明装置である第一情報処理装置１の制御および第一情報処理装置１から可視光通信で送信するための情報を送信する装置としたものである。また、この実施の形態においては、例として、第一情報処理装置１が可視光通信により送信する情報を受信し処理する装置である可視光通信受信装置９が設けられているものとする。
【０２３０】
本実施の形態の電力線通信システムの構成および動作については、上記実施の形態１と同様であるので、詳細な説明は省略する。
【０２３１】
以下、本実施の形態の電力線通信システムの具体的な動作について説明する。ここでは、第一情報処理装置１は、電力通信線と接続されており、処理対象情報として、自装置の照明のＯＮ／ＯＦＦ制御等を指示する制御情報である照明制御情報と、自装置が可視光を用いて送信可能な情報である照明送信情報だけを受信可能なものであるとし、４チャンネルでは照明制御情報、５チャンネルでは照明送信情報をそれぞれ受信可能であるとする。また、この具体例においては、第一情報処理装置１が可視光通信により送信する情報を受信し処理する装置である可視光通信受信装置９が設けられているものとする。この可視光通信受信装置９は、ここでは一例として、可視光通信の受光部９０１を備えたＰＤＡ等の小型情報端末であるとする。この可視光通信受信装置９は、受光部９０１が可視光を受光することで受信した信号から、図示しない処理部が第一情報処理装置１が送信した情報を取得して、取得した情報に応じた処理を行うものである。ここでは、特に図示しない処理部が、第一情報処理装置１が送信した情報から出力用のデータの構成し、構成したデータを図示しない出力部が出力するようにしたものである。ここでは例として処理部が、第一情報処理装置１が送信した情報から出力用のデータの構成し、出力部が表示デバイスであるディスプレイ９０２を備えており、このディスプレイ９０２に、処理部が第一情報処理装置１が送信した情報から構成した表示用のデータを表示させる場合について説明する。
【０２３２】
図２２は、第一制御情報格納部１００に格納されている第一周波数情報と第一属性情報とを管理するための第一制御情報管理表である。第一制御情報管理表は、レコードを管理するための識別情報である「ＩＤ」と、第一情報処理装置１が受信可能な周波数である「第一周波数情報」と、第一情報処理装置１が「第一周波数情報」が示す周波数で受信し、処理可能な処理対象情報についての属性を示す情報である「第一属性情報」とを管理している。ここでは、第一情報処理装置１が照明制御情報と照明送信情報とを受信して出力できるものであるため、「第一属性情報」には、「照明制御情報」と「照明送信情報」いう第一属性情報が格納されている。
【０２３３】
また、第二情報処理装置２の送信対象情報格納部２０６には、送信対象情報として、可視光通信により送信する情報である照明制御情報と照明送信情報が格納されているものとする。これらの照明制御情報と照明送信情報とは、ユーザにより、予め入力された情報であっても良いし、ユーザから入力された情報を送信する際に一時的に蓄積されたものであって良い。また、第二情報処理装置２は、３〜８チャンネルで照明制御情報と照明送信情報とを送信可能であるとする。
【０２３４】
図２３は、第二情報処理装置２の第二制御情報格納部２００に格納されている、第二情報処理装置２の送信可能な送信対象情報の属性を示す第二属性情報と、第二情報処理装置２が送信可能な周波数を示す情報である第二周波数情報とを管理するための第二制御情報管理表である。第二制御情報管理表は、第二情報処理装置２が送信可能な周波数を示す情報である「第二周波数情報」と、第二情報処理装置２が送信可能な送信対象情報の属性を示す情報である「第二属性情報」とを管理している。
【０２３５】
また、第一情報処理装置１と第二情報処理装置２との間で行われる、第一属性情報や第一周波数情報等の送受信に用いられる制御用周波数としては、０チャンネルが用いられることが予め決まっているものとする。
【０２３６】
まず、電力線１０００に第二情報処理装置２が接続されている状態で、第一情報処理装置１を電力線１０００に接続すると、第一情報処理装置１の第一制御情報送信部１０１は、図６に示した第一制御情報管理表の属性値である第一周波数情報と第一属性情報とを読み出して、電力線１０００を用いて第二情報処理装置２に送信する。
【０２３７】
なお、電力線１０００のネットワーク上の第一情報処理装置１や第二情報処理装置２のアドレス等は、どのように取得するようにしても良い。例えば、ユーザ等によりアドレス情報や機器の識別情報を指定するようにしても良い。また、装置のアドレス等を指定せずに、放送等により第一周波数情報や第一属性情報を送信しても良い。
【０２３８】
第二情報処理装置２の第二制御情報受信部２０１は、第一情報処理装置１から送信される第一周波数情報と第一属性情報とを受信する。
【０２３９】
第二制御情報受信部２０１が図２２の第一制御情報管理表に示すような第一周波数情報と第一属性情報とを受信すると、第二周波数決定部２０２は、図２２の第一制御情報管理表が示す各レコード毎に、第二制御情報受信部２０１が受信した第一周波数情報と、図２３に示した第二制御情報管理表の第二周波数情報とを比較する。そして、一致する周波数、ここではチャンネルを決定する。ここでは、「ＩＤ」が「Ａ０１」のレコードについては、「５チャンネル」が一致するチャンネルと決定される。また、「ＩＤ」が「Ａ０２」のレコードについては、「４チャンネル」が一致するチャンネルと決定される。なお、複数のチャンネルが一致した場合、複数のチャンネルのうちの一のチャンネルだけを、予め設定されたルール等に応じて選択することが好ましい。このルールは、例えば、最も中心周波数の小さいチャンネルを選択する、というルール等である。
【０２４０】
つぎに、第二属性決定部２０３は、図２２の第一制御情報管理表が示す各レコード毎に、第二制御情報受信部２０１が受信した第一属性情報と、図２３に示した第二制御情報管理表の第二属性情報とを比較する。そして、一致する第二属性情報（または第一属性情報）を決定する。この決定された第二属性情報が示す属性が、送信対象となる処理対象情報の属性である。ここでは、「照明制御情報」が、「ＩＤ」が「Ａ０１」のレコードの第一属性情報と一致する第二属性情報に決定される。また、「ＩＤ」が「Ａ０２」のレコードの第一属性情報については、「照明送信情報」が一致する第二属性情報に決定される。そして、おなじ「ＩＤ」について決定された周波数と、第二属性情報とを、それぞれ図示しないメモリ等の格納部に、第一情報処理装置１と対応付けて蓄積する。この蓄積した周波数が、処理対象情報を送信する際に利用する周波数である。また、この蓄積した第二属性情報が、第二取得部２０５が取得の対象となる処理対象情報を判断する際に利用する第二属性情報である。
【０２４１】
図２４は、第二属性決定部２０３により決定された周波数と、第二属性情報との関係を管理する周波数管理表である。周波数管理表は、処理対象情報を受信する装置を識別する情報である「装置」と、送信対象となる処理対象情報の属性を示す「第二属性情報」、「第二属性情報」に対応した属性の処理対象情報を送信に利用する周波数である「周波数」を、管理している。
【０２４２】
次に、第二情報処理装置２の出力指定受付部２０４が、処理対象情報の指定を受け付けたとする。ここでは、例えば、ユーザにより、第一情報処理装置１の照明をＯＮ、すなわち点灯するための操作が第二情報処理装置２のスイッチ等に対して行われたとする。これにより、出力指定受付部２０４が、「ｐｏｗｅｒ＿ｏｎ」という処理対象情報の指定の受け付けとなる。
【０２４３】
図２５は、送信対象情報格納部２０６に格納されている送信対象情報を管理するための送信対象情報管理表である。送信対象情報管理表は、「ＩＤ」、「属性」、および「データ」という属性を有している。「ＩＤ」は各送信対象情報を管理するための識別情報である。「属性」は上述した第二属性情報に相当する。「データ」は送信対象情報である。
【０２４４】
第二送信部２０７は、出力指定受付部２０４が指定を受け付けた処理対象情報「ｐｏｗｅｒ＿ｏｎ」に一致する送信対象情報を、図２５の送信対象情報管理表の「データ」属性内において検索し、「データ」属性が一致するレコードの「属性」の値を取得する。そして、図２４に示した周波数管理表から、この取得した「属性」と一致する「第二属性情報」を有するレコードの「周波数」の値を取得する。ここでは、図２５の送信対象情報管理表の「ＩＤ」が「００１」のレコードの「データ」属性が「ｐｏｗｅｒ＿ｏｎ」に一致するため、このレコードの「属性」である「照明制御情報」を一旦取得する。そして、図２４に示した周波数管理表のレコードのうちの、「第二属性情報」が「照明制御情報」であるレコードの「周波数」の値である「５チャンネル」を取得する。そして、この周波数を示すデータ、すなわち「５チャンネル」を示すデータを、同じレコードの「装置」の値が示す装置、ここでは、第一情報処理装置１に電力線１０００を介して０チャンネルで送信する。
【０２４５】
第一情報処理装置１の第一受信部１０４が、０チャンネルでこの「５チャンネル」を示す情報を受信すると、第一情報処理装置１は、処理対象情報が５チャンネルで第二情報処理装置２から送信されることを判断する。
【０２４６】
なお、同様に、この図２４の周波数管理表の「５チャンネル」に対応した「第二属性情報」の値である「照明制御情報」を第一情報処理装置１に送信するようにしても良い。また、送信する周波数を第一情報処理装置１に連絡する必要がない場合、周波数を示す情報を送信する処理は省略可能である。
【０２４７】
第二取得部２０５は、出力指定受付部２０４が指定を受け付けた「ｐｏｗｅｒ＿ｏｎ」という送信対象情報を送信対象情報格納部２０６から取得する。そして、第二送信部２０７は、上述した処理で取得した周波数である５チャンネルで、第二取得部２０５が取得した「ｐｏｗｅｒ＿ｏｎ」という送信対象情報を、処理対象情報として第一情報処理装置１に電力線１０００を介して送信する。
【０２４８】
第一情報処理装置１の第一受信部１０４は、電力線１０００を介して５チャンネルで第二情報処理装置２から送信される処理対象情報「ｐｏｗｅｒ＿ｏｎ」を受信する。
【０２４９】
第一処理部１０５は、第一受信部１０４が受信した処理対象情報である「ｐｏｗｅｒ＿ｏｎ」という命令に従って、照明を点灯する指示を、第一出力部１０６等に対して出力する。これにより、第一出力部１０６が、図示しない光源、例えばＬＥＤに対して電力を供給して、照明が点灯する。なお、第一受信部１０４が受信した処理対象情報が、第一情報処理装置１に対する照明制御情報であることは、処理対象情報を受信したチャンネルで判断しても良いし、第二送信部２０７が処理対象情報に照明制御情報であることを示す情報を付加して送信するようにし、この付加された情報から第一処理部１０５が照明制御情報であることを判断しても良い。
【０２５０】
次に、第二情報処理装置２の出力指定受付部２０４が、「６５」という処理対象情報を可視光通信で送信する指定を受け付けたとする。なお、この「６５」は文字列データであるとする。なお、文字列データの代わりに、データが格納されたファイル名等の指定を受けつけても良い。
【０２５１】
第二送信部２０７は、出力指定受付部２０４が指定を受け付けた処理対象情報「６５」に一致する送信対象情報を、図２５の送信対象情報管理表の「データ」属性内において検索し、「データ」属性が一致するレコードの「属性」の値を取得する。そして、図２４に示した周波数管理表から、この取得した「属性」と一致する「第二属性情報」を有するレコードの「周波数」の値を取得する。ここでは、図２５の送信対象情報管理表の「ＩＤ」が「００３」のレコードの「データ」属性が「６５」に一致するため、このレコードの「属性」である「照明送信情報」を一旦取得する。そして、図２４に示した周波数管理表のレコードのうちの、「第二属性情報」が「照明送信情報」であるレコードの「周波数」の値である「４チャンネル」を取得する。そして、この周波数を示すデータ、すなわち「４チャンネル」を示すデータを、同じレコードの「装置」の値が示す装置、ここでは、第一情報処理装置１に電力線１０００を介して０チャンネルで送信する。
【０２５２】
なお、可視光通信を行う場合には、上記のような図２５の送信対象情報管理表を用いる代わりに、送信対象情報格納部２０６に一時記憶された可視光通信に用いる情報を送信する指示、例えばコマンド等を受け付けた時点で、「照明送信情報」という「属性」を取得するようにしても良い。
【０２５３】
第一情報処理装置１の第一受信部１０４が、０チャンネルでこの「４チャンネル」を示す情報を受信すると、第一情報処理装置１は、処理対象情報が４チャンネルで第二情報処理装置２から送信されることを判断する。
【０２５４】
第二取得部２０５は、出力指定受付部２０４が指定を受け付けた「６５」という送信対象情報を送信対象情報格納部２０６から取得する。そして、第二送信部２０７は、上述した処理で取得した周波数である４チャンネルで、第二取得部２０５が取得した「６５」という送信対象情報を、処理対象情報として第一情報処理装置１に電力線１０００を介して送信する。
【０２５５】
第一情報処理装置１の第一受信部１０４は、電力線１０００を介して４チャンネルで第二情報処理装置２から送信される処理対象情報「６５」を受信する。
【０２５６】
第一処理部１０５は、第一受信部１０４が受信した処理対象情報である「６５」という照明送信情報に従った光の出力パターンを、図示しない格納部等から取得し、この出力パターンに従って発光を行わせる指示を、第一出力部１０６等に対して出力する。これにより、第一出力部１０６が、光源に対して出力パターンに応じた電力を供給して、照明が「６５」という照明送信情報に従った点灯パターンで点灯する。なお、第一受信部１０４が受信した処理対象情報が、第一情報処理装置１から可視光通信で出力される照明送信情報であることは、処理対象情報を受信したチャンネルで判断しても良いし、第二送信部２０７が処理対象情報に照明送信情報であることを示す情報を付加して送信するようにし、この付加された情報から第一処理部１０５が照明送信情報であることを判断しても良い。
【０２５７】
可視光通信受信装置９の受光部９０１が、第一情報処理装置１から出力される可視光を受光すると、この受光した可視光から、図示しない処理部が、可視光通信で送信された情報、ここでは「６５」という文字列データを取得する。そして、取得したデータを表示させる指示を図示しない出力部に出力する。出力部は、処理部が取得した文字列データを、ディスプレイ９０２に、図２６に示すように表示させる。
【０２５８】
なお、出力指定受付部２０４が指定を受け付けた処理対象情報に一致する送信対象情報の属性が、「照明制御情報」および「照明送信情報」のいずれでもない場合、この属性に対応するレコードが、図２４の周波数管理表にないことから、送信対象情報の送信等は行われず、例えばエラー表示等が行われるようにしてもよい。
【０２５９】
以上、本実施の形態によれば、可視光通信が可能な照明装置である第一情報処理装置１が電力線１０００を介して制御用周波数で、自装置が処理対象情報を受信可能な周波数を示す第一周波数情報と、自装置が処理可能な処理対象情報の属性を示す第一属性情報と、を送信するようにし、第二情報処理装置２が、この第一属性情報と第一周波数情報とに応じて、第一属性情報に応じた処理対象情報である照明制御情報または照明送信情報を取得し、第一周波数情報に応じた周波数で、第一情報処理装置１に送信するようにしたので、通信に用いられる情報の属性や通信を行う周波数等が予め設定されていない場合においても、情報の送受信および処理を行うことができる。
【０２６０】
また、第二周波数決定部２０２を設けたことにより、第一情報処理装置１が受信可能な複数の周波数から、通信に利用する周波数を決定することが可能となり、第一情報処理装置１において通信に利用する周波数を決定するためにスキャンしたりする処理を簡略化することができる。
【０２６１】
また、第二属性決定部２０３を設けたことにより、送信対象となる処理対象情報を、第二属性決定部２０３が決定した属性を用いて選択的に取得することが可能となり、第一情報処理装置１において処理できない情報の送信を防ぐことができる。また、第二情報処理装置２側で、第一情報処理装置１において処理することが適切と考えられる情報を選択的に送信することができる。
【０２６２】
また、電力線通信を用いて情報を通信する際の通信パターン、例えば通信の割り当てを、周波数と、属性との組み合わせによって増やすことができる。
【０２６３】
なお、上記実施の形態においては、照明制御情報と照明送信情報とを異なる周波数で受信する場合について説明したが、これらの情報を同じ周波数で受信するようにしても良い。
【０２６４】
なお、本実施の形態において説明した、第一情報処理装置１を可視光通信可能な照明装置とした構成を、上述した実施の形態２〜実施の形態４の構成に適用しても良いことはいうまでもない。
【０２６５】
また、上記各実施の形態において、第一情報処理装置、第二情報処理装置、およびサーバは、電力線に対して電力と通信用の情報との重ね合わせや分離を行なう装置、いわゆるＰＬＣモデム等を内部に、例えば受信部や送信部内等に備えていてもよいし、備えていなくても良い。内部に備えていない場合、電力線に対して電力と通信用の情報との重ね合わせや分離を行なう装置は、例えば、電力線（例えばコンセント）と、各装置の受信部や送信部との間に設けるようにすればよい。
【０２６６】
また、上記各実施の形態において、各処理（各機能）は、単一の装置（システム）によって集中処理されることによって実現されてもよく、あるいは、複数の装置によって分散処理されることによって実現されてもよい。
【０２６７】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【０２６８】
なお、本各実施の形態における情報処理装置を実現するソフトウェアは、以下のようなプログラムである。つまり、このプログラムは、コンピュータに、処理可能な情報である処理対象情報を受信可能な周波数を示す情報である第一周波数情報を、予め指定された所定の周波数で、電力線を介して情報の通信を行う第二情報処理装置に、電力線を介して送信する第一制御情報送信ステップと、前記電力線を介して第二情報処理装置から送信される処理対象情報を前記第一周波数情報が示す周波数で受信する第一受信ステップと、前記第一受信ステップで受信した前記処理対象情報を処理する第一処理ステップとを実行させるためのプログラムである。
【０２６９】
また、このプログラムは、コンピュータに、電力線を介して情報の通信を行う第一情報処理装置から、前記電力線を介して所定の周波数で送信される、前記第一情報処理装置が処理可能な情報である処理対象情報を受信可能な周波数を示す情報である第一周波数情報を、を受信する第二制御情報受信ステップと、前記処理対象情報を取得する第二取得ステップと、前記取得ステップで取得した処理対象情報を、前記電力線を介して前記第一周波数情報に対応した周波数で前記第一情報処理装置に送信する第二送信ステップとを実行させるためのプログラムである。
【０２７０】
また、このプログラムは、コンピュータに、第二情報処理装置が電力線を介して送信する情報である送信対象情報を送信可能な周波数を示す情報である第二周波数情報を、前記電力線を介して予め指定された所定の周波数で前記第二情報処理装置から受信する第一制御情報受信ステップと、前記電力線を介して前記第二情報処理装置から送信される情報である送信対象情報を受信する第一受信ステップと、前記第一受信ステップで受信した前記送信対象情報を処理する第一処理ステップとを実行させるためのプログラムである。
【０２７１】
また、このプログラムは、コンピュータに、送信する情報である送信対象情報を送信する周波数を示す情報である第二周波数情報を、前記所定の周波数で、電力線を介して情報の通信を行う第一情報処理装置に、電力線を介して送信する第二制御情報送信ステップと、前記送信対象情報を取得する第二取得ステップと、前記第二取得ステップが取得した送信対象情報を、前記電力線を介して前記第二周波数情報に対応した周波数で前記第一情報処理装置に送信する第二送信ステップとを実行させるためのプログラムである。
【０２７２】
また、このプログラムは、コンピュータに、送信可能な情報である送信対象情報を送信可能な周波数を示す情報である第二周波数情報を、前記所定の周波数で、電力線を介して情報の通信を行うサーバに、前記電力線を介して送信する第二制御情報送信ステップと、前記サーバから送信される送信指示を受信する第二送信指示受信ステップと、前記送信対象情報を取得する第二取得ステップと、前記第二取得ステップで取得した送信対象情報である処理対象情報を、前記電力線を介して前記第二送信指示受信ステップで受信した送信指示に応じた周波数で、電力線を介して情報の通信を行う第一情報処理装置に、前記電力線を介して送信する第二送信ステップとを実行させるためのプログラムである。
【０２７３】
また、このプログラムは、コンピュータに、電力線を介して情報の通信を行う第一情報処理装置が、前記電力線を介して送信する、前記第一情報処理装置が処理可能な処理対象情報を受信可能な周波数を示す情報である第一周波数情報を、受信する第一サーバ制御情報受信ステップと、電力線を介して情報の通信を行う第二情報処理装置が、前記電力線を介して送信する情報である送信対象情報を送信する周波数を示す情報である第二周波数情報を、受信する第二サーバ制御情報受信ステップと、前記第一サーバ制御情報受信ステップで受信した第一周波数情報と前記第二サーバ制御情報受信ステップで受信した第二周波数情報とに応じて処理対象情報を送信する周波数を決定する周波数決定ステップと、前記処理対象情報を、前記周波数決定ステップで決定した周波数で、第一情報処理装置に送信する指示である前記送信指示を、前記所定の周波数で、前記第二情報処理装置に送信する送信指示送信ステップとを実行させるためのプログラムである。
【０２７４】
また、このプログラムは、コンピュータに、処理可能な情報である処理対象情報を受信可能な周波数を示す情報である第一周波数情報を、予め指定された所定の周波数で、電力線を介して情報の通信を行うサーバに、前記電力線を介して送信する第一制御情報送信ステップと、前記サーバから送信される、当該サーバが決定した周波数で、前記電力線を介して情報の通信を行う第二情報処理装置が送信する送信対象情報を受信する指示である受信指示を受信する第一受信指示受信ステップと、前記第二情報処理装置が、前記電力線を介して送信する情報である送信対象情報を、前記受信指示に応じた周波数で受信する第一受信ステップと、前記第一受信ステップで受信した前記送信対象情報を処理する第一処理ステップとを実行させるためのプログラムである。
【０２７５】
また、このプログラムは、コンピュータに、電力線を介して情報の通信を行う第一情報処理装置が、前記電力線を介して送信する、前記第一情報処理装置が処理可能な処理対象情報を送信可能な周波数を示す情報である第一周波数情報を、受信する第一サーバ制御情報受信ステップと、電力線を介して情報の通信を行う第二情報処理装置が、前記電力線を介して送信する情報である送信対象情報を送信する周波数を示す情報である第二周波数情報を、受信する第二サーバ制御情報受信ステップと、前記第一サーバ制御情報受信ステップで受信した第一周波数情報と前記第二サーバ制御情報受信ステップで受信した第二周波数情報とに応じて処理対象情報を受信する周波数を決定する周波数決定ステップと、前記第二情報処理装置が送信する送信対象情報を、前記周波数決定ステップで決定した周波数で受信する指示である前記受信指示を、前記所定の周波数で、前記第一情報処理装置に送信する受信指示送信ステップとを実行させるためのプログラムである。
【０２７６】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２７７】
また、上記プログラムを実行するコンピュータは、単数であってもよく、複数であってもよい。すなわち、集中処理を行ってもよく、あるいは分散処理を行ってもよい。
【０２７８】
また、上記各実施の形態において、一の装置に存在する２以上の通信手段（情報送信部など）は、物理的に一の媒体で実現されても良いことは言うまでもない。
【０２７９】
本発明は、以上の実施の形態に限定されることなく、種々の変更が可能であり、それらも本発明の範囲内に包含されるものであることは言うまでもない。
【産業上の利用可能性】
【０２８０】
以上のように、本発明にかかる電力線通信システムは、電力線を介して情報の通信を行うシステムに適用可能なものであり、特に、各装置が送受信する情報の属性等を設定することなく情報処理装置等を接続することが可能な電力線通信システム等として有用である。
【図面の簡単な説明】
【０２８１】
【図１】本実施の形態１における電力線通信システムの概念図
【図２】同電力線通信システムのブロック図
【図３】同電力線通信システムの動作について説明するフローチャート
【図４】同電力線通信システムの動作について説明するフローチャート
【図５】同電力線通信システムの具体例を示す図
【図６】同電力線通信システムの第一制御情報管理表を示す図
【図７】同電力線通信システムの第二制御情報管理表を示す図
【図８】同電力線通信システムの送信対象情報管理表を示す図
【図９】本実施の形態２における電力線通信システムのブロック図
【図１０】同電力線通信システムの動作について説明するフローチャート
【図１１】同電力線通信システムの動作について説明するフローチャート
【図１２】同電力線通信システムの第一制御情報管理表を示す図
【図１３】同電力線通信システムの第二制御情報管理表を示す図
【図１４】本実施の形態３における電力線通信システムのブロック図
【図１５】同電力線通信システムの動作について説明するフローチャート
【図１６】同電力線通信システムの動作について説明するフローチャート
【図１７】同電力線通信システムの具体例を示す図
【図１８】本実施の形態４における電力線通信システムのブロック図
【図１９】同電力線通信システムの動作について説明するフローチャート
【図２０】同電力線通信システムの動作について説明するフローチャート
【図２１】本実施の形態５における電力線通信システムの概念図
【図２２】同電力線通信システムの第一制御情報管理表を示す図
【図２３】同電力線通信システムの第二制御情報管理表を示す図
【図２４】同電力線通信システムの周波数管理表を示す図
【図２５】同電力線通信システムの送信対象情報管理表を示す図
【図２６】同電力線通信システムの表示例を示す図
【符号の説明】
【０２８２】
１、３、７  第一情報処理装置
２、４、５  第二情報処理装置
６、８  サーバ
１００、３００  第一制御情報格納部
１０１、３０１  第一制御情報送信部
１０４、３０４  第一受信部
１０５、３０５  第一処理部
１０６、３０６  第一出力部
２００、４００  第二制御情報格納部
２０１  第二制御情報受信部
２０２  第二周波数決定部
２０３  第二属性決定部
２０４  第二識別情報受信部
２０５、４０３  第二取得部
２０６、４０４  送信対象情報格納部
２０７、４０５  第二送信部
３０１  第一制御情報受信部
３０２  第一周波数決定部
３０３  第一属性決定部
４０１  第二制御情報送信部
４０２  出力指定受付部
４０４  送信対象情報格納部
５０１  第二送信指示受信部
６０１  第一サーバ制御情報受信部
６０２  第二サーバ制御情報受信部
６０３  周波数決定部
６０４  属性決定部
６０５  送信指示送信部
７０１  第一受信指示受信部
８０１  受信指示送信部
１０００  電力線
【図１】
0004968934.tif 000002
【図２】
0004968934.tif 000003
【図３】
0004968934.tif 000004
【図４】
0004968934.tif 000005
【図５】
0004968934.tif 000006
【図６】
0004968934.tif 000007
【図７】
0004968934.tif 000008
【図８】
0004968934.tif 000009
【図９】
0004968934.tif 000010
【図１０】
0004968934.tif 000011
【図１１】
0004968934.tif 000012
【図１２】
0004968934.tif 000013
【図１３】
0004968934.tif 000014
【図１４】
0004968934.tif 000015
【図１５】
0004968934.tif 000016
【図１６】
0004968934.tif 000017
【図１７】
0004968934.tif 000018
【図１８】
0004968934.tif 000019
【図１９】
0004968934.tif 000020
【図２０】
0004968934.tif 000021
【図２１】
0004968934.tif 000022
【図２２】
0004968934.tif 000023
【図２３】
0004968934.tif 000024
【図２４】
0004968934.tif 000025
【図２５】
0004968934.tif 000026
【図２６】
0004968934.tif 000027